(57)【要約】【課題】室内圧力を調整しつつ、集塵効率を向上させた換気システムを得ること。【解決手段】屋外空気を室内に給気する給気部と、室内空気を屋外に排気する排気部と、を有して室内の換気を行う換気装置と、屋外空気中の汚れ量を取得する第１の汚れ量取得部と、給気部に流入する屋外空気中の汚れを集塵する集塵部と、給気部の給気風量と排気部の排気風量とを制御する制御部と、を備える。制御部は、第１の汚れ量取得部の取得結果に基づいて、集塵部に流入する屋外空気中の汚れ量が基準値よりも多い場合に、給気部の給気風量と排気部の排気風量とを低減させる。【選択図】図１
2020134094.tif 000002
【特許請求の範囲】
【請求項１】
屋外空気を室内に給気する給気部と、室内空気を屋外に排気する排気部と、を有して前記室内の換気を行う換気装置と、
前記屋外空気中の汚れ量を取得する第１の汚れ量取得部と、
前記給気部に流入する前記屋外空気中の汚れを集塵する集塵部と、
前記給気部の給気風量と前記排気部の排気風量とを制御する制御部と、
を備え、
前記制御部は、前記第１の汚れ量取得部の取得結果に基づいて、前記集塵部に流入する前記屋外空気中の汚れ量が基準値よりも多い場合に、前記給気部の給気風量と前記排気部の排気風量とを低減させること、
を特徴とする換気システム。
【請求項２】
前記制御部は、前記給気部の給気風量と前記排気部の排気風量とを同じ風量に低減させること、
を特徴とする請求項１に記載の換気システム。
【請求項３】
前記基準値が、あらかじめ決められた閾値であること、
を特徴とする請求項１または２に記載の換気システム。
【請求項４】
前記室内空気中の汚れ量を取得する第２の汚れ量取得部を備え、
前記基準値が、前記第２の汚れ量取得部の取得結果であること、
を特徴とする請求項１または２に記載の換気システム。
【請求項５】
前記換気装置は、屋外および室内とダクトにより接続された熱交換換気装置であり、
前記集塵部は、屋外と前記熱交換換気装置とを接続する前記ダクト内に設置されていること、
を特徴とする請求項１から４のいずれか１つに記載の換気システム。
【請求項６】
前記換気装置は、熱交換換気装置であり、
前記集塵部は、前記熱交換換気装置内の給気風路上に設置されていること、
を特徴とする請求項１から４のいずれか１つに記載の換気システム。
【請求項７】
前記換気装置は、前記給気部と前記排気部とが独立して設けられ、
前記集塵部は、前記給気部の給気風路上に設置されていること、
を特徴とする請求項１から４のいずれか１つに記載の換気システム。
【発明の詳細な説明】
【技術分野】
【０００１】
本発明は、給気部と、排気部と、空気中の汚れ量を検知する検知部と、空気中の汚れを集塵する集塵部とを備える換気システムに関する。
【背景技術】
【０００２】
従来、屋外から室内に給気を行う場合において屋外空気中に含まれる塵埃、花粉、微小粒子状物質などの汚れが室内に供給されることを防止するため、給気風路に電気集塵機などの集塵手段を設けた空気調和装置が用いられている。微小粒子状物質は、ＰＭ（Particulate  Matter）２．５とも呼ばれる。
【０００３】
たとえば、特許文献１には、屋外から室内に空気を取り入れる風路に電気集塵部を配置することで、屋外空気中の汚れを除去する空気調和機が開示されている。特許文献１の空気調和機は、電気集塵部を構成する荷電部として、風路側荷電部および室内側荷電部の２つの荷電部を備えている。そして、空気調和機は、風路側荷電部および室内側荷電部の２つの荷電部に印加する電圧を制御するとともに、風路側荷電部および室内側荷電部の電流値を検知し、室内側荷電部の電流値が変化しない場合は小さい粒子径の汚れのみを含むとし、室内側荷電部の電流値が変化する場合は大きい粒子径の汚れを含むと推定して、粒子径の識別を行う。空気調和機は、識別した結果に基づいて、大きい粒子径を含む場合のみ、屋外から室内に空気を取り入れる送風手段の速度を下げることで、電気集塵部内の汚れの通過時間を長くし、粉塵の帯電率を向上させて集塵効率を向上させている。
【先行技術文献】
【特許文献】
【０００４】
【特許文献１】特開２００８−２１３７１１号公報
【発明の概要】
【発明が解決しようとする課題】
【０００５】
しかしながら、特許文献１に開示された技術では、風路側荷電部および室内側荷電部の２つの荷電部に印加する電圧を制御するとともに、風路側荷電部および室内側荷電部の２つの荷電部の電流値の変化により汚れの粒子径を識別して送風手段の速度を制御するため、構成および制御が複雑になる、という問題があった。
【０００６】
また、特許文献１に開示された技術では、室内に空気を取り入れるための送風手段の速度調整のみを行うため、熱交換換気装置などの給気と排気とを行う換気システムに適用した場合、室内が負圧となって扉が開き難くなる、という問題があった。
【０００７】
本発明は、上記に鑑みてなされたものであって、簡単な構成および制御によって室内圧力を調整しつつ集塵効率を向上させた換気システムを得ることを目的とする。
【課題を解決するための手段】
【０００８】
上述した課題を解決し、目的を達成するために、本発明にかかる換気システムは、屋外空気を室内に給気する給気部と、室内空気を屋外に排気する排気部と、を有して室内の換気を行う換気装置と、屋外空気中の汚れ量を取得する第１の汚れ量取得部と、給気部に流入する屋外空気中の汚れを集塵する集塵部と、給気部の給気風量と排気部の排気風量とを制御する制御部と、を備える。制御部は、第１の汚れ量取得部の取得結果に基づいて、集塵部に流入する屋外空気中の汚れ量が基準値よりも多い場合に、給気部の給気風量と排気部の排気風量とを低減させる。
【発明の効果】
【０００９】
本発明によれば、簡単な構成および制御によって室内圧力を調整しつつ集塵効率を向上させた換気システムが得られる、という効果を奏する。
【図面の簡単な説明】
【００１０】
【図１】本発明の実施の形態１にかかる換気システムの構成を示す図
【図２】本発明の実施の形態１にかかる処理回路のハードウェア構成の一例を示す図
【図３】本発明の実施の形態１にかかる換気システムにおける換気運転の制御の手順を示すフローチャート
【図４】本発明の実施の形態１にかかる換気システムにおける給気風量と排気風量との低減条件を示す図
【図５】本発明の実施の形態１にかかる換気システムにおける図４に示す条件設定表に従った換気運転の制御の手順を示すフローチャート
【図６】本発明の実施の形態２にかかる換気システムの構成を示す図
【図７】本発明の実施の形態２にかかる換気システムにおける換気運転の制御の手順を示すフローチャート
【図８】本発明の実施の形態２にかかる換気システムにおける他の換気運転の制御の手順を示すフローチャート
【図９】本発明の実施の形態２にかかる換気システムにおける給気風量と排気風量との低減条件を示す図
【図１０】本発明の実施の形態２にかかる換気システムにおける図９に示す条件設定表に従った換気運転の制御の手順を示すフローチャート
【図１１】本発明の実施の形態３にかかる換気システムの構成を示す図
【図１２】本発明の実施の形態４にかかる換気システムの構成を示す図
【図１３】本発明の実施の形態４にかかる換気システムにおける換気運転の制御の手順を示すフローチャート
【図１４】本発明の実施の形態４にかかる換気システムにおける換気運転の制御の手順を示すフローチャート
【図１５】本発明の実施の形態５にかかる換気システムの構成を示す図
【図１６】本発明の実施の形態５にかかる換気システムにおける換気運転の制御の手順を示すフローチャート
【図１７】本発明の実施の形態５にかかる換気システムにおける他の換気運転の制御の手順を示すフローチャート
【発明を実施するための形態】
【００１１】
以下に、本発明の実施の形態にかかる換気システムを図面に基づいて詳細に説明する。なお、この実施の形態によりこの発明が限定されるものではない。
【００１２】
実施の形態１．
図１は、本発明の実施の形態１にかかる換気システム１００の構成を示す図である。図１では集塵部である電気集塵機１４が換気装置である熱交換換気装置１の外部に設けられて使用される場合について説明する。なお、図１では、屋外側給気用ダクト１５ａ、室内側排気用ダクト１６ｂおよび熱交換換気装置１の一面を透過して見た場合に見える構造を示している。
【００１３】
本実施の形態１にかかる換気システム１００は、熱交換換気装置１と、電気集塵機１４と、屋外汚れ量検知部１７と、を備える。
【００１４】
まず、熱交換換気装置１について説明する。熱交換換気装置１は、天井裏の空間、または外壁と内壁との間の空間に取り付けられ、接続されたダクトを介した給排気によって換気の対象空間である室内を換気する換気装置である。熱交換換気装置１は、図示しない電源から駆動電力が供給される。
【００１５】
熱交換換気装置１は、本体を構成する筐体１ａを備える。筐体１ａの側面には、屋外吸込口１０、屋外吹出口１１、室内吸込口１２および室内吹出口１３が設けられている。
【００１６】
屋外吸込口１０、屋外吹出口１１、室内吸込口１２および室内吹出口１３は、ダクトに接続される。屋外吸込口１０と屋外吹出口１１とは、筐体１ａの一方の側面１ｂに設けられ、建物の外部に連通したダクトを介して屋外空間に連通される。室内吹出口１３と室内吸込口１２とは、筐体１ａにおいて一方の側面１ｂと対向する他方の側面１ｃに設けられ、室内に連通したダクトを介して室内空間に連通される。
【００１７】
屋外吸込口１０には、屋外に連通した屋外側給気用ダクト１５ａが接続されている。室内吹出口１３には、室内に連通した室内側給気用ダクト１５ｂが接続されている。室内吸込口１２には、室内に連通した室内側排気用ダクト１６ｂが接続されている。屋外吹出口１１には、屋外に連通した屋外側排気用ダクト１６ａが接続されている。
【００１８】
筐体１ａの内部には、熱交換器２、給気用送風機３、排気用送風機４、給気側エアフィルター６、排気側エアフィルター７、仕切壁２１、仕切壁２２、仕切壁２３および仕切壁２４が設けられている。
【００１９】
熱交換器２である熱交換素子には、給気流が通る熱交換器給気風路２ａと、排気流が通る熱交換器排気風路２ｂと、が互いに独立して形成されている。熱交換器給気風路２ａと熱交換器排気風路２ｂとは、熱交換器２において交差して設けられている。これにより、熱交換器２は、熱交換器給気風路２ａを流れる空気と熱交換器排気風路２ｂを流れる空気との間で熱および湿度を交換する熱交換が可能となっている。本実施の形態１においては、熱交換器給気風路２ａと熱交換器排気風路２ｂとは、熱交換器２において直交して設けられている。すなわち、熱交換器２では、熱交換器給気風路２ａを流れる空気の進行方向と、熱交換器排気風路２ｂを流れる空気の進行方向とは、直交している。
【００２０】
筐体１ａの内部には、熱交換器２の熱交換器給気風路２ａを介して屋外吸込口１０と室内吹出口１３とを連通させる給気風路と、熱交換器２の熱交換器排気風路２ｂを介して室内吸込口１２と屋外吹出口１１とを連通させる排気風路とが互いに独立して形成されている。すなわち、筐体１ａの内部には、建物の外部と室内とを、屋外吸込口１０および室内吹出口１３を通じて繋いで建物の外部の空気を室内へ給気するための給気風路と、室内と建物の外部とを、室内吸込口１２および屋外吹出口１１を通じて繋いで室内の空気を屋外へ排気するための排気風路と、が設けられている。
【００２１】
給気風路は、上流側給気風路３１ａと、上述した熱交換器給気風路２ａと、下流側給気風路３１ｂと、に分けられる。上流側給気風路３１ａは、熱交換器２よりも上流側の給気風路であり、屋外吸込口１０から熱交換器２までの給気流の通風路である。熱交換器給気風路２ａは、熱交換器２における給気流の通風路である。下流側給気風路３１ｂは、熱交換器２よりも下流側の給気風路であり、熱交換器２から室内吹出口１３までの給気流の通風路である。給気流は、屋外吸込口１０から吸い込まれた後に室内吹出口１３から吹き出されて室内に給気される屋外空気の流れである。図１においては、給気流を破線矢印Ａで示している。
【００２２】
排気風路は、上流側排気風路３２ａと、上述した熱交換器排気風路２ｂと、下流側排気風路３２ｂと、に分けられる。上流側排気風路３２ａは、熱交換器２よりも上流側の排気風路であり、室内吸込口１２から熱交換器２までの排気流の通風路である。熱交換器排気風路２ｂは、熱交換器２における排気流の通風路である。下流側排気風路３２ｂは、熱交換器２よりも下流側の排気風路であり、熱交換器２から屋外吹出口１１までの排気流の通風路である。排気流は、室内吸込口１２から吸い込まれた後に屋外吹出口１１から吹き出されて屋外に排気される室内空気の流れである。図１においては、排気流を実線矢印Ｂで示している。
【００２３】
上流側給気風路３１ａと上流側排気風路３２ａとは、筐体１ａの内部において熱交換器２と仕切壁２１とにより仕切られている。下流側給気風路３１ｂと下流側排気風路３２ｂとは、筐体１ａの内部において熱交換器２と仕切壁２２とにより仕切られている。上流側給気風路３１ａと下流側排気風路３２ｂとは、筐体１ａの内部において熱交換器２と仕切壁２３とにより仕切られている。そして、上流側排気風路３２ａと下流側給気風路３１ｂとは、筐体１ａの内部において熱交換器２と仕切壁２４とにより仕切られている。
【００２４】
給気風路における下流側、すなわち下流側給気風路３１ｂには、給気用送風機モーターにより駆動されて給気風路の入口端から出口端へ向かう給気流の流れを生成する給気用送風機３が組み込まれている。給気用送風機３が駆動することにより、屋外空気は、屋外吸込口１０より吸い込まれ、熱交換器２を通過して、室内吹出口１３より室内空間へと給気される。
【００２５】
また、排気風路の下流側、すなわち下流側排気風路３２ｂには、排気用送風機モーターにより駆動されて排気風路の入口端から出口端へ向かう排気流の流れを生成する排気用送風機４が組み込まれている。排気用送風機４が駆動することにより、室内空気は、室内吸込口１２より吸い込まれ、熱交換器２を通過して、屋外吹出口１１より屋外空間へと排気される。
【００２６】
給気側エアフィルター６は、熱交換器２のうち給気流が流入する面に着脱可能に設置されている。給気側エアフィルター６は、屋外空気に混在する塵埃、花粉、微小粒子状物質などの汚れである空気中浮遊物による熱交換器２の目詰まりを防止する目的で設けられている。給気側エアフィルター６は、後述する電気集塵機１４で集塵しきれなかった汚れの集塵を行うが、目詰まりした場合に洗浄することが困難であり、一定期間使用した後は取り替え交換を行うのが一般的である。
【００２７】
排気側エアフィルター７は、熱交換器２のうち排気流が流入する面に着脱可能に設置されている。排気側エアフィルター７は、室内空気に混在する塵埃、花粉、微小粒子状物質などの汚れである空気中浮遊物による熱交換器２の目詰まりを防止する目的で設けられている。排気側エアフィルター７は、目詰まりした場合に洗浄することが困難であり、一定期間使用した後は取り替え交換を行うのが一般的である。
【００２８】
なお、図１において、符号ＯＡは外気（Outdoor  Air）である屋外空気、符号ＳＡは給気（Supply  Air）、符号ＲＡは還気（Return  Air）、符号ＥＡは排気（Exhaust  Air）を示している。
【００２９】
外気ＯＡは、屋外から、屋外側給気用ダクト１５ａを介して、屋外吸込口１０から上流側給気風路３１ａへ流入する。上流側給気風路３１ａへ流入した給気流は、給気側エアフィルター６、熱交換器２および給気用送風機３を経て、室内吹出口１３に至る。室内吹出口１３に到達した給気流は、室内側給気用ダクト１５ｂを介して、給気ＳＡとして室内へ吹き出される。
【００３０】
還気ＲＡは、室内から、室内側排気用ダクト１６ｂを介して、室内吸込口１２から上流側排気風路３２ａへ流入する。上流側排気風路３２ａへ流入した排気流は、排気側エアフィルター７、熱交換器２、排気用送風機４を経て、屋外吹出口１１へ至る。屋外吹出口１１に到達した排気流は、屋外側排気用ダクト１６ａを介して、排気ＥＡとして、屋外へ吹き出される。
【００３１】
屋外側給気用ダクト１５ａの途中部には、電気集塵機１４が設けられている。電気集塵機１４は、荷電部および集塵部を有しており、荷電部にたとえば１０ｋＶといった電圧を印加することで、放電空間を形成する。そして、放電空間を通過する空気中の汚れをプラスまたはマイナスに帯電させ、帯電した汚れとは反対電位である集塵部にクーロン力で吸着させて集塵する。一般に荷電部および集塵部は、水洗い等の清掃が可能であるため、取り替え交換が不要である。
【００３２】
屋外側給気用ダクト１５ａにおける電気集塵機１４の上流側には、屋外汚れ量検知部１７が設置されている。屋外汚れ量検知部１７は、電気集塵機１４に流入する屋外空気中の汚れ量を検知する検知部であり、第１の汚れ量検知部である。すなわち、屋外汚れ量検知部１７は、屋外空気中の汚れ量の情報を取得する第１の汚れ量取得部である。汚れ量は、電気集塵機１４によって清浄可能な空気中の汚れの量であり、具体的には空気中に存在して電気集塵機１４によって清浄可能な空気中浮遊物の量である。
【００３３】
屋外汚れ量検知部１７は、電気集塵機１４に流入する屋外空気中の汚れ量を、あらかじめ決められた周期で検知する。すなわち、屋外汚れ量検知部１７は、屋外側給気用ダクト１５ａの内部における電気集塵機１４の上流側の領域を流れる屋外空気中の汚れ量を検知する。あらかじめ決められた周期の情報は、屋外汚れ量検知部１７に記憶し、適宜変更可能としてもよい。
【００３４】
また、屋外汚れ量検知部１７は、検知結果である屋外空気中の汚れ量の情報を制御部５に送信する。屋外汚れ量検知部１７と制御部５との通信は、赤外線通信、ＷｉＦｉ（登録商標）またはＢｌｕｅｔｏｏｔｈ（登録商標）といった無線通信であってもよく、また有線通信であってもよい。屋外汚れ量検知部１７は、ＰＭ２．５センサおよび埃センサといった、空気中の汚れ量を検知できる検知装置が用いられる。
【００３５】
また、筐体１ａには、熱交換換気装置１の動作を制御する制御部５が、筐体１ａにおける１つの側面に配置されている。制御部５は、給気用送風機３および排気用送風機４と通信可能とされており、給気用送風機３および排気用送風機４の動作を制御する。制御部５は、給気用送風機３および排気用送風機４に対して、運転を指示する運転指示信号、および停止を指示する停止指示信号を出力することにより、給気用送風機３および排気用送風機４の動作を制御する。すなわち、制御部５は、給気用送風機３と排気用送風機４との動作を制御する制御部としての機能を有する。
【００３６】
また、制御部５は、熱交換換気装置１の運転中、すなわち給気用送風機３および排気用送風機４の運転中に、屋外空気中の汚れ量に基づいて、給気用送風機３および排気用送風機４の風量を低減させる制御を行う。なお、制御部５は、筐体１ａの内部に設けられてもよい。
【００３７】
また、制御部５は、たとえば、図２に示したハードウェア構成の処理回路として実現される。図２は、本発明の実施の形態１にかかる処理回路のハードウェア構成の一例を示す図である。制御部５は、たとえば、図２に示すプロセッサ１０１がメモリ１０２に記憶されたプログラムを実行することにより、実現される。また、複数のプロセッサおよび複数のメモリが連携して上記機能を実現してもよい。また、制御部５の機能のうちの一部を電子回路として実装し、他の部分をプロセッサ１０１およびメモリ１０２を用いて実現するようにしてもよい。
【００３８】
制御部５には、制御部５と通信可能なリモートコントローラー２５が接続されている。リモートコントローラー２５は、熱交換換気装置１の換気動作等の各種制御についての指令を受け付ける。リモートコントローラー２５は、ユーザから受け付けた各種指令を、制御部５に送信する。制御部５は、リモートコントローラー２５から送信された各種指令に基づいて、熱交換換気装置１の換気動作等の制御を行う。リモートコントローラー２５と制御部５との通信は、赤外線通信、ＷｉＦｉ（登録商標）またはＢｌｕｅｔｏｏｔｈ（登録商標）といった無線通信であってもよく、また有線通信であってもよい。
【００３９】
上述した換気システム１００において、熱交換器２の熱交換器給気風路２ａを介して屋外吸込口１０と室内吹出口１３とを連通させる給気風路と、給気用送風機３とは、屋外空気を室内に給気する給気部を構成する。また、熱交換器２の熱交換器排気風路２ｂを介して室内吸込口１２と屋外吹出口１１とを連通させる排気風路と排気用送風機４とは、室内空気を屋外に排気する排気部を構成する。
【００４０】
つぎに、本発明の実施の形態１にかかる換気システム１００の動作について説明する。図３は、本発明の実施の形態１にかかる換気システム１００における換気運転の制御の手順を示すフローチャートである。
【００４１】
まず、換気システム１００の換気運転が開始される。ユーザがリモートコントローラー２５を操作することにより、リモートコントローラー２５から制御部５に換気運転の運転指示信号が送信される。制御部５は、リモートコントローラー２５から送信された運転指示信号に従って給気用送風機３および排気用送風機４に運転指令を送信する。給気用送風機３および排気用送風機４は、制御部５から送信された運転指令に従って運転を開始する。これにより、換気システム１００の換気運転が開始される。なお、換気システム１００の換気運転開始時において、給気風量と排気風量とは同じ風量とされている。給気風量は、給気用送風機３の風量、すなわち給気用送風機３が生成する給気流の風量である。排気風量は、排気用送風機４の風量、すなわち排気用送風機４が生成する排気流の風量である。
【００４２】
換気システム１００の換気運転が開始されると、ステップＳ１０において屋外汚れ量検知部１７が、電気集塵機１４に流入する屋外空気中の汚れ量をあらかじめ決められた周期で検知する。すなわち、屋外汚れ量検知部１７は、屋外側給気用ダクト１５ａの内部における電気集塵機１４の上流側の領域を流れる屋外空気中の汚れ量を検知する。屋外汚れ量検知部１７は、検知結果を制御部５に送信する。
【００４３】
制御部５は、屋外空気中の汚れ量の検知結果を受信すると、ステップＳ２０において、あらかじめ決められた第１の閾値と検知結果とに基づいて、屋外空気中の汚れ量が第１の閾値以下であるか否かを判定する。第１の閾値は、給気風量と排気風量とを低減させるか否かを制御部５が判定するための基準値である。第１の閾値は、あらかじめ制御部５に記憶されており、リモートコントローラー２５を操作することにより適宜変更可能である。また、第１の閾値を変更するためのスイッチを別途設けてもよい。
【００４４】
屋外空気中の汚れ量が第１の閾値以下である場合、すなわちステップＳ２０においてＹｅｓの場合は、ステップＳ１０に戻る。屋外汚れ量検知部１７により検知された屋外空気中の汚れ量が第１の閾値以下である場合は、屋外空気が電気集塵機１４内を通過する時間が短くても、屋外空気中の空気中浮遊物を電気集塵機１４で適切に捕集でき、清浄された空気を室内へ供給することが可能である。この場合、制御部５は、給気風量と排気風量とを変化させず、維持する制御を行う。
【００４５】
たとえば、風量が強い強運転と風量が弱い弱運転との２ノッチの風量での換気運転が可能な熱交換換気装置１において強運転が行われている場合には、制御部５は、強運転で換気運転を継続させる制御を行う。
【００４６】
一方、屋外空気中の汚れ量が第１の閾値より多い場合、すなわちステップＳ２０においてＮｏの場合は、ステップＳ３０に進む。
【００４７】
ステップＳ３０において制御部５は、給気用送風機３の風量を低減させることにより給気風量を低減させる制御を行う。屋外空気中の汚れ量が第１の閾値より多い場合は、屋外空気が電気集塵機１４内を通過する時間が短いと、屋外空気中の空気中浮遊物を電気集塵機１４で適切に捕集することができない。そこで、制御部５は、給気風量を低減させて、屋外空気が電気集塵機１４内を通過する時間を給気風量の変更前よりも長くする制御を行う。屋外空気が電気集塵機１４内を通過する時間を給気風量の変更前よりも長くすることによって、電気集塵機１４を通過する屋外空気中の空気中浮遊物の集塵効率を給気風量の変更前よりも向上させて、より清浄された空気を室内へ供給することができる。
【００４８】
また、給気風量のみを低減させた場合には、室内が負圧となり扉が開き難くなるといった問題が生じる。そこで、ステップＳ４０において制御部５は、給気風量を低減させると同時に、排気風量を給気風量と同じ風量に低減させる制御を行う。これにより、給気風量を低減させて換気運転を行う場合においても、室内の圧力を一定に保つことができ、扉が開き難くなるといった問題が生じない。
【００４９】
すなわち、たとえば、強運転と弱運転との２ノッチの風量での換気運転が可能な熱交換換気装置１において強運転が行われている場合には、制御部５は、風量のノッチを１段階下げて弱運転で換気運転させる制御を行う。
【００５０】
給気風量と排気風量とを低減させた後、ステップＳ５０において屋外汚れ量検知部１７が、電気集塵機１４に流入する屋外空気中の汚れ量を検知する。すなわち、屋外汚れ量検知部１７は、屋外側給気用ダクト１５ａの内部における電気集塵機１４の上流側の領域を流れる屋外空気中の汚れ量を検知する。屋外汚れ量検知部１７は、検知結果を制御部５に送信する。
【００５１】
制御部５は、屋外汚れ量検知部１７から新たな屋外空気中の汚れ量の検知結果を受信する。ステップＳ６０において制御部５は、屋外汚れ量検知部１７から新たに受信した屋外空気中の汚れ量の検知結果に基づいて、屋外空気中の汚れ量が第１の閾値以下であるか否かを判定する。
【００５２】
屋外空気中の汚れ量が第１の閾値より多い場合、すなわちステップＳ６０においてＮｏの場合は、ステップＳ５０に戻る。
【００５３】
一方、電気集塵機１４に流入する屋外空気中の汚れ量が第１の閾値以下である場合、すなわちステップＳ６０においてＹｅｓの場合は、ステップＳ７０に進む。ステップＳ７０において制御部５は、給気風量を、ステップＳ３０において低減させる前の元の状態に戻す制御を行い、また排気風量を、ステップＳ４０において低減させる前の元の状態に戻す制御を行う。これにより、給気風量と排気風量とが元の状態の同一の風量である換気運転が行われる。ステップＳ７０の後は、ステップＳ１０に戻る。
【００５４】
なお、上記においては強運転と弱運転との２ノッチの換気運転が可能な熱交換換気装置１を例に説明したが、風量ノッチを異なる３ノッチの風量に切り換えて換気運転が可能な熱交換換気装置１の場合には、制御部５は、異なる風量ノッチの換気運転毎に第１の閾値に相当する閾値をあらかじめ記憶しておき、屋外空気中の汚れ量が増えるにつれて段階的に風量ノッチを弱い風量ノッチに下げる制御を行ってもよい。
【００５５】
また、制御部５は、屋外空気中の汚れ量が増えるにつれて、給気風量と排気風量とを、屋外空気中の汚れ量に対して正比例的に低減させる制御、すなわち屋外空気中の汚れ量に対して無段階に低減させる制御を行ってもよい。
【００５６】
上記のように、換気システム１００は、屋外汚れ量検知部１７において検知された屋外空気中の汚れ量に基づいて容易に給気風量の風量制御を自動で行うことができる。そして、換気システム１００は、屋外空気の汚れ量が第１の閾値よりも多い場合に給気風量を低減させることで、電気集塵機１４は、屋外空気中の空気中浮遊物の集塵効率を常に高く維持することが可能となる。
【００５７】
また、換気システム１００は、給気風量を低減させると同時に排気風量も低減させるため、室内の圧力を一定に保つことができ、給気風量と排気風量との不均衡により室内の扉が開き難くなるといった問題の発生を防止することができる。さらに、給気風量および排気風量を低減させることで、換気システム１００の消費電力の削減、一定時間に取り込む汚れ量の減少に伴う電気集塵機１４のメンテナンス回数の削減、熱交換器２の熱交換効率の向上といった効果が得られる。さらに、電気集塵機１４の集塵効率が向上するため、電気集塵機１４の後段に設置されている給気側エアフィルター６の長寿命化または削除が可能となる。
【００５８】
なお、給気風量と排気風量とが同じ風量でなくても、給気風量と排気風量との両方を下げることにより、給気風量のみを下げた場合と比較して、給気風量を下げることにより生じる室内の負圧の度合いを抑制することができる。
【００５９】
また、図１においては、１つの屋外汚れ量検知部１７を屋外側給気用ダクト１５ａの途中部分に設置する場合について示しているが、屋外空気中の汚れ量を検知できる場所であれば、屋外汚れ量検知部１７の設置場所は限定されない。また、屋外汚れ量検知部１７の個数についても制限は無く、たとえば、屋外に複数の屋外汚れ量検知部１７を設置し、複数の屋外汚れ量検知部１７で検知された検知結果の平均を屋外空気中の汚れ量としてもよい。
【００６０】
また、屋外汚れ量検知部１７は、センサに限らず、屋外空気中の汚れ量を通信等により他の機器から取得するための受信部とされてもよい。すなわち、屋外空気中の汚れ量の情報を取得する第１の汚れ量取得部は、屋外空気中の汚れ量の情報を通信等により他の機器から取得するための受信部であってもよい。受信部は、他の機器から入手した屋外空気中の汚れ量の検知結果を制御部５に送信する。
【００６１】
また、本実施の形態１にかかる換気システム１００は、たとえば図１に示すように室内における人の有無を検知する人検知部１９を室内に備えて、室内における人の有無を判別してもよい。人検知部１９は、人の有無の検知結果を制御部５に送信する。人検知部１９には、たとえば人感センサが用いられる。
【００６２】
図４は、本発明の実施の形態１にかかる換気システム１００における給気風量と排気風量との低減条件を示す図である。屋外空気の汚れ量のみを検知する場合には、たとえば図４に示す条件設定表のような条件が設定される。図４に示す条件設定表は、あらかじめ制御部５に記憶される。制御部５は、図４に示す条件設定表に設定された条件に基づいて、給気風量と排気風量との低減度合いを制御する。
【００６３】
図４における「多」の表記は、屋外空気中の汚れ量が第１の閾値より多い場合を示し、「少」の表記は、屋外空気中の汚れ量が第１の閾値以下の場合を示す。図４に示す条件設定表に設定された条件１、条件２、条件３および条件４は、各々異なる風量を指定する条件である。図４に示す条件設定表に設定された条件では、風量の大小関係は、「条件１＜条件２＜条件３＜条件４」であり、電気集塵機１４の集塵効率の大小関係は、「条件４＜条件３＜条件２＜条件１」である。また、条件３および条件４については、屋外空気の汚れが少ないため、あらかじめ「給気風量と排気風量変更なし」、または「停止」に設定しておいてもよい。
【００６４】
図４に示す条件設定表では、条件１を満たす場合に給気風量と排気風量との低減度合いを最も大きくして、電気集塵機１４の集塵効率を最も高くするように設定されている。これにより、室内に人が居る場合であって、且つ屋外空気中の汚れ量が第１の閾値より多い場合に、電気集塵機１４の集塵効率を最も高くすることができ、人が居る室内に、より清浄化された空気を提供することが可能となる。
【００６５】
つぎに、図４に示す条件設定表に従った換気システム１００の動作について説明する。図５は、本発明の実施の形態１にかかる換気システム１００における図４に示す条件設定表に従った換気運転の制御の手順を示すフローチャートである。
【００６６】
換気システム１００の換気運転が開始されると、ステップＳ１１０においてステップＳ１０と同様の処理が実施される。
【００６７】
制御部５は、屋外空気中の汚れ量の検知結果を受信すると、ステップＳ１２０において、ステップＳ２０と同様に、屋外空気中の汚れ量が第１の閾値以下であるか否かを判定する。屋外空気中の汚れ量が第１の閾値より多い場合、すなわちステップＳ１２０においてＮｏの場合は、ステップＳ１３０に進む。屋外空気中の汚れ量が第１の閾値以下である場合、すなわちステップＳ１２０においてＹｅｓの場合は、ステップＳ１８０に進む。
【００６８】
ステップＳ１３０において、制御部５は、室内に人が居るか否かを判定する。すなわち、人検知部１９が、室内の人の有無を検知し、検知結果を制御部５に送信する。そして、制御部５は、人検知部１９における室内の人の有無の検知結果に基づいて、室内に人が居るか否かを判定する。室内に人が居る場合、すなわちステップＳ１３０においてＹｅｓの場合は、ステップＳ１４０に進む。室内に人が居ない場合、すなわちステップＳ１３０においてＮｏの場合は、ステップＳ１７０に進む。
【００６９】
ステップＳ１４０では、制御部５は、室内の人の有無の検知結果と図４に示す条件設定表とに基づいて、給気風量と排気風量との低減に適用する風量の条件を条件１と決定する。
【００７０】
ステップＳ１７０では、制御部５は、室内の人の有無の検知結果と図４に示す条件設定表とに基づいて、給気風量と排気風量との低減に適用する風量の条件を条件２と決定する。
【００７１】
一方、ステップＳ１２０においてＹｅｓの場合、ステップＳ１８０において、制御部５は、室内に人が居るか否かを判定する。すなわち、人検知部１９が、室内の人の有無を検知し、検知結果を制御部５に送信する。そして、制御部５は、人検知部１９における室内の人の有無の検知結果に基づいて、室内に人が居るか否かを判定する。室内に人が居る場合、すなわちステップＳ１８０においてＹｅｓの場合は、ステップＳ１９０に進む。室内に人が居ない場合、すなわちステップＳ１８０においてＮｏの場合は、ステップＳ２００に進む。
【００７２】
ステップＳ１９０では、制御部５は、室内の人の有無の検知結果と図４に示す条件設定表とに基づいて、給気風量と排気風量との低減に適用する風量の条件を条件３と決定する。
【００７３】
ステップＳ２００では、制御部５は、室内の人の有無の検知結果と図４に示す条件設定表とに基づいて、給気風量と排気風量との低減に適用する風量の条件を条件４と決定する。
【００７４】
ステップＳ１５０において制御部５は、ステップＳ１４０、ステップＳ１７０、ステップＳ１９０またはステップＳ２００において決定された条件に従って、給気風量を、決定された条件に対応した給気風量に設定する。すなわち、制御部５は、給気用送風機３の風量を、ステップＳ１４０、ステップＳ１７０、ステップＳ１９０またはステップＳ２００において決定された条件に対応した給気風量に変更する制御を行う。
【００７５】
つぎに、ステップＳ１６０において制御部５は、給気風量を変更すると同時に、排気風量を給気風量と同じ風量に設定する。すなわち、制御部５は、排気用送風機４の風量を給気用送風機３の風量と同じ風量に変更する制御を行う。その後、ステップＳ１１０に戻る。
【００７６】
なお、図４は、給気風量と排気風量とを低減させる制御を行う場合の条件の一例であり、屋外空気の汚れ量よりも室内の人の有無を重視する条件とする、室内の人の有無より汚れ量を重視する条件とする、など任意の条件を設定してもよい。
【００７７】
上述した本実施の形態１にかかる換気システム１００は、屋外空気中の汚れ量が第１の閾値より多い場合に、給気風量と排気風量とを自動で低減させて電気集塵機１４の集塵効率を向上させることができる。これにより、換気システム１００は、室内空気中の汚れ量を現状の室内空気中の汚れ量よりも少なくする換気運転を容易に行うことができ、より効率的な室内空気の清浄化が可能となる。
【００７８】
また、換気システム１００は、屋外空気中の汚れ量に基づいて給気風量を低減した場合に、排気風量を給気風量と同じ風量に自動で低減させる制御を行う。これにより、換気システム１００は、屋外空気中の汚れ量に基づいて給気風量を低減させて換気運転を行う場合においても、室内の圧力を一定に保つことが可能であり、給気風量の低減に起因して扉が開き難くなるといった問題が生じない。
【００７９】
また、換気システム１００の電気集塵機１４は、荷電部を複数備えるなどの複雑な構成を有しておらず、簡単な構成および簡単な制御で空気中浮遊物を集塵して空気を清浄化可能である。また、換気システム１００は、屋外空気中の汚れ量に基づいて給気風量を低減するため、給気風量を低減する場合における空気中浮遊物の大きさに制約がない。
【００８０】
したがって、本実施の形態１にかかる換気システム１００は、簡単な構成および制御によって、室内圧力を調整しつつ集塵効率を向上させて、より効率的な室内空気の清浄化が可能となる。
【００８１】
実施の形態２．
図６は、本発明の実施の形態２にかかる換気システム２００の構成を示す図である。図６は、図１に対応した図である。図６では、電気集塵機１４が、熱交換換気装置１に接続されて使用される場合を例にして説明する。本実施の形態２にかかる換気システム２００は、室内汚れ量検知部１８をさらに備える点が、上述した実施の形態１にかかる換気システム１００と異なる。
【００８２】
室内汚れ量検知部１８は、熱交換換気装置１に流入する室内空気中の汚れ量を検知する検知部であり、第２の汚れ量検知部である。すなわち、室内汚れ量検知部１８は、室内空気中の汚れ量の情報を取得する第２の汚れ量取得部である。
【００８３】
室内汚れ量検知部１８は、室内側排気用ダクト１６ｂ内に配置され、熱交換換気装置１に流入する室内空気中の汚れ量を、あらかじめ決められた周期で検知する。すなわち、室内汚れ量検知部１８は、室内側排気用ダクト１６ｂを流れる室内空気中の汚れ量を検知する。あらかじめ決められた周期の情報は、室内汚れ量検知部１８に記憶し、適宜変更可能としてもよい。また、室内汚れ量検知部１８は、検知結果を制御部５に送信する。室内汚れ量検知部１８と制御部５との通信は、赤外線通信、ＷｉＦｉ（登録商標）またはＢｌｕｅｔｏｏｔｈ（登録商標）といった無線通信であってもよく、また有線通信であってもよい。
【００８４】
室内汚れ量検知部１８は、ＰＭ２．５センサおよび埃センサといった、空気中の汚れ量を検知できる検知装置が用いられる。なお、室内汚れ量検知部１８に用いられる検知装置は、屋外汚れ量検知部１７と同じ種類のセンサとされる。これにより、換気システム２００は、屋外空気中の汚れ量と室内空気中の汚れ量とを比較することが可能である。
【００８５】
制御部５は、屋外汚れ量検知部１７における検知結果と室内汚れ量検知部１８における検知結果とを受信すると、屋外汚れ量検知部１７における検知結果である屋外空気中の汚れ量と、室内汚れ量検知部１８における検知結果である室内空気中の汚れ量と、を比較する。
【００８６】
屋外空気中の汚れ量が室内空気中の汚れ量以下である場合は、室内に給気される屋外空気が室内空気を汚すおそれが無い。したがって、制御部５は、屋外空気中の汚れ量が室内空気中の汚れ量以下である場合は、ユーザにより設定された換気運転、すなわちユーザにより設定された循環運転を行う制御を行う。
【００８７】
一方、屋外空気中の汚れ量が室内空気中の汚れ量より多い場合は、室内に給気される屋外空気が室内空気を汚すおそれがある。このため、制御部５は、屋外空気中の汚れ量が室内空気中の汚れ量より多い場合は、給気風量と排気風量とを、現在行っている循環運転の設定、すなわちユーザにより設定された換気運転の設定よりも低減させる制御を行う。
【００８８】
すなわち、制御部５は、給気風量を低減させて、屋外空気が電気集塵機１４内を通過する時間を給気風量の変更前よりも長くする制御を行う。屋外空気が電気集塵機１４内を通過する時間を給気風量の変更前よりも長くすることによって、電気集塵機１４を通過する屋外空気中の空気中浮遊物の集塵効率を給気風量の変更前よりも向上させて、より清浄された空気を室内へ供給することができる。
【００８９】
また、給気風量のみを低減させた場合には、室内が負圧となり扉が開き難くなるといった問題が生じる。そこで制御部５は、排気風量を給気風量と同じ風量に低減させる制御を行う。これにより、給気風量を低減させて換気運転を行う場合においても、室内の圧力を一定に保つことができ、扉が開き難くなるといった問題が生じない。
【００９０】
つぎに、本発明の実施の形態２にかかる換気システム２００の動作について説明する。図７は、本発明の実施の形態２にかかる換気システム２００における換気運転の制御の手順を示すフローチャートである。
【００９１】
換気システム２００の換気運転が開始されると、ステップＳ３１０においてステップＳ１０と同様の処理が実施される。
【００９２】
また、ステップＳ３２０において室内汚れ量検知部１８が、熱交換換気装置１に流入する室内空気中の汚れ量をあらかじめ決められた周期で検知する。すなわち、室内汚れ量検知部１８は、室内側排気用ダクト１６ｂを流れる室内空気中の汚れ量を検知する。室内汚れ量検知部１８は、検知結果を制御部５に送信する。
【００９３】
制御部５は、屋外汚れ量検知部１７で検知された屋外空気中の汚れ量の検知結果、および室内汚れ量検知部１８で検知された室内空気中の汚れ量の検知結果を受信する。ステップＳ３３０において、制御部５は、屋外空気中の汚れ量の検知結果と室内空気中の汚れ量の検知結果とを比較し、屋外空気中の汚れ量が室内空気中の汚れ量以下であるか否かを判定する。
【００９４】
屋外空気中の汚れ量が室内空気中の汚れ量以下である場合、すなわちステップＳ３３０においてＹｅｓの場合は、ステップＳ３１０に戻る。
【００９５】
屋外空気中の汚れ量が室内空気中の汚れ量より多い場合、すなわちステップＳ３３０においてＮｏの場合は、ステップＳ３４０に進む。ステップＳ３４０において制御部５は、給気風量を低減させる制御を行う。屋外空気中の汚れ量が室内空気中の汚れ量より多い場合は、室内に給気される屋外空気が室内空気を汚すおそれがある。このため、制御部５は、給気風量を低減させて、屋外空気が電気集塵機１４内を通過する時間を給気風量の変更前よりも長くする制御を行う。これにより、換気システム２００は、電気集塵機１４を通過する屋外空気中の空気中浮遊物の集塵効率を給気風量の変更前よりも向上させて、より清浄された空気を室内へ供給することができる。
【００９６】
また、給気風量のみを低減させた場合には、室内が負圧となり扉が開き難くなるといった問題が生じる。そこで、ステップＳ３５０において制御部５は、排気風量を給気風量と同じ風量に低減させる制御を行う。これにより、給気風量を低減させて換気運転を行う場合においても、室内の圧力を一定に保つことができ、扉が開き難くなるといった問題が生じない。
【００９７】
給気風量と排気風量とを低減させた後、ステップＳ３６０において屋外汚れ量検知部１７が、電気集塵機１４に流入する屋外空気中の汚れ量を検知する。すなわち、屋外汚れ量検知部１７は、屋外側給気用ダクト１５ａの内部における電気集塵機１４の上流側の領域を流れる屋外空気中の汚れ量を検知する。屋外汚れ量検知部１７は、検知結果を制御部５に送信する。
【００９８】
また、ステップＳ３７０において室内汚れ量検知部１８が、熱交換換気装置１に流入する室内空気中の汚れ量を検知する。すなわち、室内汚れ量検知部１８は、室内側排気用ダクト１６ｂを流れる室内空気中の汚れ量を検知する。室内汚れ量検知部１８は、検知結果を制御部５に送信する。
【００９９】
制御部５は、屋外汚れ量検知部１７で新たに検知された屋外空気中の汚れ量の検知結果、および室内汚れ量検知部１８で新たに検知された室内空気中の汚れ量の検知結果を受信する。ステップＳ３８０において制御部５は、新たに受信する屋外空気中の汚れ量の検知結果および新たに受信する室内空気中の汚れ量の検知結果に基づいて、屋外空気中の汚れ量が室内空気中の汚れ量以下であるか否かを判定する。
【０１００】
屋外空気中の汚れ量が室内空気中の汚れ量より多い場合、すなわちステップＳ３８０においてＮｏの場合は、ステップＳ３６０に戻る。
【０１０１】
屋外空気中の汚れ量が室内空気中の汚れ量以下である場合、すなわちステップＳ３８０においてＹｅｓの場合は、ステップＳ３９０に進む。ステップＳ３９０において制御部５は、給気風量を、ステップＳ３４０において低減させる前の元の状態に戻す制御を行う。また、制御部５は、排気風量を、ステップＳ３５０において低減させる前の元の状態に戻す制御を行う。これにより、給気風量と排気風量とが元の状態の同一の風量である換気運転が行われる。ステップＳ３９０の後は、ステップＳ３１０に戻る。
【０１０２】
上述した制御では、屋外空気中の汚れ量と室内空気中の汚れ量との比較結果に基づいて、室内に給気される屋外空気が室内を汚すおそれが有る場合に、給気風量との排気風量とを自動で低減させて電気集塵機１４の集塵効率を向上させることができる。これにより、換気システム２００は、室内空気中の汚れ量を現状の室内空気中の汚れ量以下にする換気運転を容易に行うことができ、より効率的な室内空気の清浄化が可能となる。
【０１０３】
また、上述した制御では、屋外空気中の汚れ量と室内空気中の汚れ量との比較結果に基づいて給気用送風機３の給気風量を低減した場合に、排気風量を給気風量と同じ風量に自動で低減させる制御を行う。これにより、換気システム２００は、屋外空気中の汚れ量と室内空気中の汚れ量との比較結果に基づいて給気風量を低減させて換気運転を行う場合においても、室内の圧力を一定に保つことが可能であり、給気風量の低減に起因して扉が開き難くなるといった問題が生じない。
【０１０４】
なお、上記においては屋外空気中の汚れ量と室内空気中の汚れ量とを比較する場合について説明したが、屋外空気中の汚れ量と室内空気中の汚れ量との各々に閾値を設け、給気風量および排気風量を制御してもよい。また、閾値を任意に設定できるようにスイッチを設けてもよい。たとえば、都会などの空気が汚れている場所では閾値を低くし、空気がきれいな場所では閾値を高く設定する。
【０１０５】
図８は、本発明の実施の形態２にかかる換気システム２００における他の換気運転の制御の手順を示すフローチャートである。
【０１０６】
換気システム２００の換気運転が開始されると、ステップＳ４１０においてステップＳ１０と同様の処理が実施される。
【０１０７】
また、ステップＳ４２０において室内汚れ量検知部１８が、熱交換換気装置１に流入する室内空気中の汚れ量をあらかじめ決められた周期で検知する。すなわち、室内汚れ量検知部１８は、室内側排気用ダクト１６ｂを流れる室内空気中の汚れ量を検知する。室内汚れ量検知部１８は、検知結果を制御部５に送信する。
【０１０８】
制御部５は、屋外空気中の汚れ量の検知結果を受信すると、ステップＳ４３０において、第１の閾値と検知結果とに基づいて、屋外空気中の汚れ量が第１の閾値以下であるか否かを判定する。
【０１０９】
屋外空気中の汚れ量が第１の閾値以下である場合、すなわちステップＳ４３０においてＹｅｓの場合は、ステップＳ４１０に戻る。屋外汚れ量検知部１７により検知された屋外空気中の汚れ量が第１の閾値以下である場合は、屋外空気が電気集塵機１４内を通過する時間が短くても、屋外空気中の空気中浮遊物を電気集塵機１４で適切に捕集でき、清浄された空気を室内へ供給することが可能である。この場合、制御部５は、給気風量と排気風量とを変化させず、維持する制御を行う。
【０１１０】
一方、屋外空気中の汚れ量が第１の閾値より多い場合、すなわちステップＳ４３０においてＮｏの場合は、ステップＳ４４０に進む。制御部５は、室内空気中の汚れ量の検知結果を受信すると、ステップＳ４４０において、あらかじめ決められた第２の閾値と室内空気中の汚れ量の検知結果とに基づいて、室内空気中の汚れ量が第２の閾値以下であるか否かを判定する。第２の閾値は、給気風量と排気風量とを低減させるか否かを制御部５が判定するための基準値である。第２の閾値は、たとえば第１の閾値と同じ値とされる。第２の閾値は、あらかじめ制御部５に記憶されており、リモートコントローラー２５を操作することにより適宜変更可能である。また、第２の閾値を変更するためのスイッチを別途設けてもよい。
【０１１１】
室内空気中の汚れ量が第２の閾値より多い場合、すなわちステップＳ４４０においてＮｏの場合は、ステップＳ４１０に戻る。
【０１１２】
一方、室内空気中の汚れ量が第２の閾値以下である場合、すなわちステップＳ４４０においてＹｅｓの場合は、ステップＳ４５０に進む。ステップＳ４５０において制御部５は、給気風量を低減させる制御を行う。屋外空気中の汚れ量が第１の閾値より多く、且つ室内空気中の汚れ量が第２の閾値以下である場合は、室内に給気される屋外空気が室内空気を汚す可能性が大きい。このため、制御部５は、給気風量を低減させて、屋外空気が電気集塵機１４内を通過する時間を給気風量の変更前よりも長くする制御を行う。これにより、換気システム２００は、電気集塵機１４を通過する屋外空気中の空気中浮遊物の集塵効率を給気風量の変更前よりも向上させて、より清浄された空気を室内へ供給することができる。
【０１１３】
また、給気風量のみを低減させた場合には、室内が負圧となり扉が開き難くなるといった問題が生じる。そこで、ステップＳ４６０において制御部５は、排気風量を給気用送風機３の給気風量と同じ風量に低減させる制御を行う。これにより、給気風量を低減させて換気運転を行う場合においても、室内の圧力を一定に保つことができ、扉が開き難くなるといった問題が生じない。
【０１１４】
給気風量と排気風量とを低減させた後、ステップＳ４７０において屋外汚れ量検知部１７が、電気集塵機１４に流入する屋外空気中の汚れ量を検知する。すなわち、屋外汚れ量検知部１７は、屋外側給気用ダクト１５ａの内部における電気集塵機１４の上流側の領域を流れる屋外空気中の汚れ量を検知する。屋外汚れ量検知部１７は、検知結果を制御部５に送信する。
【０１１５】
ステップＳ４８０において制御部５は、屋外汚れ量検知部１７から新たに受信する屋外空気中の汚れ量の検知結果に基づいて、屋外空気中の汚れ量が第１の閾値以下であるか否かを判定する。
【０１１６】
屋外空気中の汚れ量が第１の閾値より多い場合、すなわちステップＳ４８０においてＮｏの場合は、ステップＳ４７０に戻る。
【０１１７】
一方、屋外空気中の汚れ量が第１の閾値以下である場合、すなわちステップＳ４８０においてＹｅｓの場合は、ステップＳ４９０に進む。
【０１１８】
ステップＳ４９０において制御部５は、給気風量を、ステップＳ４５０において低減させる前の元の状態に戻す制御を行い、また排気風量を、ステップＳ４６０において低減させる前の元の状態に戻す制御を行う。これにより、給気風量と排気風量とが元の状態の同一の風量である換気運転が行われる。ステップＳ４９０の後は、ステップＳ４１０に戻る。
【０１１９】
上述した制御では、屋外空気中の汚れ量と室内空気中の汚れ量とに基づいて容易に給気風量の風量制御を自動で行うことができる。そして、換気システム２００は、屋外空気の汚れ量が第１の閾値よりも多く、且つ室内空気の汚れ量が第２の閾値以下である場合に給気風量を自動で低減させることで、電気集塵機１４における屋外空気中の空気中浮遊物の集塵効率を向上させることが可能となる。
【０１２０】
また、本実施の形態２にかかる換気システム２００は、人検知部１９により室内における人の有無を判別してもよい。図９は、本発明の実施の形態２にかかる換気システム２００における給気風量と排気風量との低減条件を示す図である。屋外空気中の汚れ量と室内空気中の汚れ量とを検知する場合には、たとえば図９に示す条件設定表のような条件が設定される。図９に示す条件設定表は、あらかじめ制御部５に記憶される。制御部５は、図９に示す条件設定表に設定された条件に基づいて、給気風量と排気風量との低減度合いを変化させる制御を行う。
【０１２１】
図９における屋外空気の汚れ量の「多」の表記は、屋外空気中の汚れ量が第１の閾値より多い場合を示し、屋外空気の汚れ量の「少」の表記は、屋外空気中の汚れ量が第１の閾値以下である場合を示す。図９における室内空気の汚れ量の「多」の表記は、室内空気中の汚れ量が第２の閾値より多い場合を示し、室内空気の汚れ量の「少」の表記は、室内空気中の汚れ量が第２の閾値以下である場合を示す。
【０１２２】
図９に示す条件設定表に設定された条件１１、条件１２、条件１３、条件１４、条件１５および条件１６は、各々異なる風量を指定する条件である。図９に示す条件設定表に設定された条件では、風量の大小関係は、「条件１１＜条件１２＜条件１３＜条件１４＜条件１５＜条件１６」であり、電気集塵機１４の集塵効率の大小関係は、「条件１６＜条件１５＜条件１４＜条件１３＜条件１２＜条件１１」である。
【０１２３】
図９に示す条件設定表では、条件１１を満たす場合に給気風量と排気風量との低減度合いを最も大きくして、電気集塵機１４の集塵効率を最も高くするように設定されている。これにより、屋外空気中の汚れ量が第１の閾値より多く、室内空気中の汚れ量が第２の閾値以下であり、且つ室内に人が居る場合に、電気集塵機１４の集塵効率を最も高くすることができ、人が居る室内に、より清浄化された空気を提供することが可能となる。
【０１２４】
つぎに、図９に示す条件設定表に従った換気システム２００の動作について説明する。図１０は、本発明の実施の形態２にかかる換気システム２００における図９に示す条件設定表に従った換気運転の制御の手順を示すフローチャートである。
【０１２５】
換気システム２００の換気運転が開始されると、ステップＳ５１０においてステップＳ１０と同様の処理が実施される。
【０１２６】
また、ステップＳ５２０において室内汚れ量検知部１８が、熱交換換気装置１に流入する室内空気中の汚れ量をあらかじめ決められた周期で検知する。すなわち、室内汚れ量検知部１８は、室内側排気用ダクト１６ｂを流れる室内空気中の汚れ量を検知する。室内汚れ量検知部１８は、検知結果を制御部５に送信する。
【０１２７】
制御部５は、屋外空気中の汚れ量の検知結果を受信すると、ステップＳ５３０において、第１の閾値と検知結果とに基づいて、屋外空気中の汚れ量が第１の閾値以下であるか否かを判定する。屋外空気中の汚れ量が第１の閾値より多い場合、すなわちステップＳ５３０においてＮｏの場合は、ステップＳ５４０に進む。屋外空気中の汚れ量が第１の閾値以下である場合、すなわちステップＳ５３０においてＹｅｓの場合は、ステップＳ６３０に進む。
【０１２８】
ステップＳ５４０において制御部５は、第２の閾値と室内空気中の汚れ量の検知結果とに基づいて、室内空気中の汚れ量が第２の閾値以下であるか否かを判定する。室内空気中の汚れ量が第２の閾値以下である場合、すなわちステップＳ５４０においてＹｅｓの場合は、ステップＳ５５０に進む。室内空気中の汚れ量が第２の閾値より多い場合、すなわちステップＳ５４０においてＮｏの場合は、ステップＳ６００に進む。
【０１２９】
ステップＳ５５０では、人検知部１９が、室内の人の有無を検知し、検知結果を制御部５に送信する。そして、制御部５は、人検知部１９における室内の人の有無の検知結果に基づいて、室内に人が居るか否かを判定する。室内に人が居る場合、すなわちステップＳ５５０においてＹｅｓの場合は、ステップＳ５６０に進む。室内に人が居ない場合、すなわちステップＳ５５０においてＮｏの場合は、ステップＳ５９０に進む。
【０１３０】
ステップＳ５６０では、制御部５は、これまでの判定結果と図９に示す条件設定表とに基づいて、給気風量と排気風量との低減に適用する条件を条件１１と決定する。
【０１３１】
ステップＳ５９０では、制御部５は、これまでの判定結果と図９に示す条件設定表とに基づいて、給気風量と排気風量との低減に適用する条件を条件１２と決定する。
【０１３２】
一方、ステップＳ５４０においてＮｏの場合、ステップＳ６００では、人検知部１９が、室内の人の有無を検知し、検知結果を制御部５に送信する。そして、制御部５は、人検知部１９における室内の人の有無の検知結果に基づいて、室内に人が居るか否かを判定する。室内に人が居る場合、すなわちステップＳ６００においてＹｅｓの場合は、ステップＳ６１０に進む。室内に人が居ない場合、すなわちステップＳ６００においてＮｏの場合は、ステップＳ６２０に進む。
【０１３３】
ステップＳ６１０では、制御部５は、これまでの判定結果と図９に示す条件設定表とに基づいて、給気風量と排気風量との低減に適用する条件を条件１３と決定する。
【０１３４】
ステップＳ６２０では、制御部５は、これまでの判定結果と図９に示す条件設定表とに基づいて、給気風量と排気風量との低減に適用する条件を条件１４と決定する。
【０１３５】
また、ステップＳ５３０においてＹｅｓの場合、ステップＳ６３０において制御部５は、第２の閾値と室内空気中の汚れ量の検知結果とに基づいて、室内空気中の汚れ量が第２の閾値以下であるか否かを判定する。室内空気中の汚れ量が第２の閾値より多い場合、すなわちステップＳ６３０においてＮｏの場合は、ステップＳ６４０に進む。室内空気中の汚れ量が第２の閾値以下である場合、すなわちステップＳ６３０においてＹｅｓの場合は、ステップＳ６７０に進む。
【０１３６】
ステップＳ６４０では、人検知部１９が、室内の人の有無を検知し、検知結果を制御部５に送信する。そして、制御部５は、人検知部１９における室内の人の有無の検知結果に基づいて、室内に人が居るか否かを判定する。室内に人が居る場合、すなわちステップＳ６４０においてＹｅｓの場合は、ステップＳ６５０に進む。室内に人が居ない場合、すなわちステップＳ６４０においてＮｏの場合は、ステップＳ６６０に進む。
【０１３７】
ステップＳ６５０では、制御部５は、これまでの判定結果と図９に示す条件設定表とに基づいて、給気風量と排気風量との低減に適用する条件を条件１５と決定する。
【０１３８】
ステップＳ６６０では、制御部５は、これまでの判定結果と図９に示す条件設定表とに基づいて、給気風量と排気風量との低減に適用する条件を条件１６と決定する。
【０１３９】
また、ステップＳ６３０においてＹｅｓの場合、ステップＳ６７０では、人検知部１９が、室内の人の有無を検知し、検知結果を制御部５に送信する。そして、制御部５は、人検知部１９における室内の人の有無の検知結果に基づいて、室内に人が居るか否かを判定する。室内に人が居る場合、すなわちステップＳ６７０においてＹｅｓの場合は、ステップＳ６８０に進む。室内に人が居ない場合、すなわちステップＳ６７０においてＮｏの場合は、ステップＳ６９０に進む。
【０１４０】
ステップＳ６８０およびステップＳ６９０では、制御部５は、これまでの判定結果と図９に示す条件設定表とに基づいて、給気風量と排気風量との低減に適用する条件を、停止または風量変更無し、と決定する。この場合、制御部５は、給気用送風機３と排気用送風機４とを停止させる制御、または給気用送風機３の風量と排気用送風機４の風量とを変更させずに維持する制御を行う。ステップＳ６８０の後、およびステップＳ６９０の後は、ステップＳ５１０に戻る。
【０１４１】
ステップＳ５７０において制御部５は、ステップＳ５６０、ステップＳ５９０、ステップＳ６１０、ステップＳ６２０、ステップＳ６５０またはステップＳ６６０において決定された条件に従って、給気風量を、決定された条件に対応した給気風量に設定する。すなわち、制御部５は、給気用送風機３の給気風量を、ステップＳ５６０、ステップＳ５９０、ステップＳ６１０、ステップＳ６２０、ステップＳ６５０またはステップＳ６６０において決定された条件に対応した給気風量に変更する制御を行う。
【０１４２】
つぎに、ステップＳ５８０において制御部５は、給気用送風機３の給気風量を変更すると同時に、排気風量を給気風量と同じ風量に設定する。すなわち、制御部５は、排気用送風機４の風量を給気用送風機３の風量と同じ風量に変更する制御を行う。その後、ステップＳ５１０に戻る。
【０１４３】
上述した制御では、屋外空気中の汚れ量と室内空気中の汚れ量と室内における人の有無とに基づいて容易に給気風量の風量制御を自動で行うことができる。これにより、換気システム２００は、室内に人が居る場合に、屋外空気中の汚れ量と室内空気中の汚れ量とに基づいて電気集塵機１４の集塵効率を高くすることができ、人が居る室内に、より清浄化された空気を提供することが可能となる。
【０１４４】
なお、図９は、給気風量と排気風量とを低減させる制御を行う場合の条件の一例であり、屋外空気の汚れ量および室内空気の汚れ量よりも室内の人の有無を重視する条件とする、室内の人の有無より汚れ量を重視する条件とする、など任意の条件を設定してもよい。
【０１４５】
また、図６においては、１つの室内汚れ量検知部１８を室内側排気用ダクト１６ｂ内に設置する場合について示しているが、室内空気中の汚れ量を検知できる場所であれば、室内汚れ量検知部１８の設置場所は限定されない。また、室内汚れ量検知部１８の個数についても制限は無い。たとえば、室内に複数の室内汚れ量検知部１８が設置され、各々の室内汚れ量検知部１８で検知された検知結果の平均が室内空気中の汚れ量とされてもよい。
【０１４６】
また、室内汚れ量検知部１８は、センサに限らず、室内空気中の汚れ量を通信等により他の機器から取得するための受信部とされてもよい。すなわち、室内空気中の汚れ量の情報を取得する第２の汚れ量取得部は、室内空気中の汚れ量の情報を通信等により他の機器から取得するための受信部であってもよい。受信部は、他の機器から入手した室内空気中の汚れ量の検知結果を制御部５に送信する。また、屋外汚れ量検知部１７と室内汚れ量検知部１８とを、屋外空気中の汚れ量の検知結果および室内空気中の汚れ量の検知結果を取得する１つの受信部に置き換えてもよい。この場合、屋外空気中の汚れ量の検知結果および室内空気中の汚れ量の検知結果を取得する機器の設置数を１つにすることが可能となる。
【０１４７】
上述した本発明の実施の形態２にかかる換気システム２００は、屋外空気中の汚れ量と室内空気中の汚れ量との比較結果に基づいて、室内に給気される屋外空気が室内を汚すおそれが有る場合に、給気風量を自動で低減させて電気集塵機１４の集塵効率を向上させることができる。これにより、換気システム２００は、室内空気中の汚れ量を現状の室内空気中の汚れ量以下にする換気運転を容易に行うことができ、より効率的な室内空気の清浄化が可能となる。
【０１４８】
また、換気システム２００は、屋外空気中の汚れ量と室内空気中の汚れ量との比較結果に基づいて給気風量を低減した場合に、排気風量を給気風量と同じ風量に自動で低減させる制御を行う。これにより、換気システム２００は、屋外空気中の汚れ量と室内空気中の汚れ量との比較結果に基づいて給気風量を低減させて換気運転を行う場合においても、室内の圧力を一定に保つことが可能であり、給気風量の低減に起因して扉が開き難くなるといった問題が生じない。
【０１４９】
実施の形態３．
図１１は、本発明の実施の形態３にかかる換気システム３００の構成を示す図である。本実施の形態３にかかる換気システム３００は、換気装置である熱交換換気装置１に電気集塵機１４、屋外汚れ量検知部１７、室内汚れ量検知部１８を内蔵する点が、上述した実施の形態１にかかる換気システム１００または実施の形態２にかかる換気システム２００と異なる。なお、図１１においては、熱交換換気装置１の一面を透過して見た場合に見える構造を示している。
【０１５０】
電気集塵機１４は、上流側給気風路３１ａにおける給気側エアフィルター６と屋外吸込口１０との間に設けられている。屋外汚れ量検知部１７は、上流側給気風路３１ａにおける屋外吸込口１０と電気集塵機１４との間に設けられている。室内汚れ量検知部１８は、上流側排気風路３２ａにおける排気側エアフィルター７と室内吸込口１２との間に設けられている。
【０１５１】
本実施の形態３にかかる換気システム３００は、電気集塵機１４、屋外汚れ量検知部１７、室内汚れ量検知部１８の配置位置が実施の形態１にかかる換気システム１００または実施の形態２にかかる換気システム２００と異なるが、実施の形態１にかかる換気システム１００または実施の形態２にかかる換気システム２００と同様の動作が可能であり、実施の形態１にかかる換気システム１００または実施の形態２にかかる換気システム２００と同様の効果が得られる。
【０１５２】
また、本実施の形態３にかかる換気システム３００は、電気集塵機１４、屋外汚れ量検知部１７、室内汚れ量検知部１８を熱交換換気装置１に内蔵する構成とされているため、換気システム１００または換気システム２００の設置作業において屋外側給気用ダクト１５ａ、室内側排気用ダクト１６ｂおよび熱交換換気装置１の設置作業の他に必要となる、電気集塵機１４、屋外汚れ量検知部１７および室内汚れ量検知部１８を別途設置する作業が不要である。また、屋外側給気用ダクト１５ａまたは室内側排気用ダクト１６ｂにおける、電気集塵機１４、屋外汚れ量検知部１７または室内汚れ量検知部１８の設置スペースの確保が不要である。従って、換気システム３００は、換気システム１００または換気システム２００に比べて、設置作業が容易であり、簡単に構成できるという効果がある。
【０１５３】
実施の形態４．
図１２は、本発明の実施の形態４にかかる換気システム４００の構成を示す図である。なお、図１２は、屋外側給気用ダクト１５ａ、室内側排気用ダクト１６ｂ、給気用換気装置３１０、および第１の排気用換気装置３２０の一面を透過して見た場合に見える構造を示している。また、図１２においては、上述した実施の形態における換気システムと同様の構成については同じ符号を付している。
【０１５４】
本実施の形態４にかかる換気システム４００は、給気用換気装置３１０と、第１の排気用換気装置３２０と、電気集塵機１４と、屋外汚れ量検知部１７とを備える。
【０１５５】
屋外空気を室内に給気する給気部を構成する給気用換気装置３１０と、給気用換気装置３１０から離れた位置に独立して設けられて室内空気を屋外に排気する排気部を構成する第１の排気用換気装置３２０とにより、給排気によって換気の対象空間である室内を換気する換気装置が構成されている。換気装置は、天井裏の空間、または外壁と内壁との間の空間に取り付けられ、接続されたダクトを介した給排気によって換気の対象空間である室内を換気する換気装置である。換気装置は、図示しない電源から駆動電力が供給される。
【０１５６】
給気用換気装置３１０は、接続されたダクトを通じて屋外空気を室内に給気する。給気用換気装置３１０は、本体を構成する筐体３１０ａを備える。筐体３１０ａの一方の側面には、屋外吸込口１０が設けられている。筐体３１０ａの他の側面には、室内吹出口１３が設けられている。
【０１５７】
屋外吸込口１０には、屋外に連通した屋外側給気用ダクト１５ａが接続されている。室内吹出口１３には、室内に連通した室内側給気用ダクト１５ｂが接続されている。
【０１５８】
筐体３１０ａの内部には、給気用送風機３および給気側エアフィルター６が設けられている。筐体３１０ａの内部には、給気側エアフィルター６および給気用送風機３を介して屋外吸込口１０と室内吹出口１３とを連通させ、給気流が流れる給気風路が形成されている。給気流は、屋外吸込口１０から吸い込まれた後に室内吹出口１３から吹き出されて室内に給気される屋外空気の流れである。
【０１５９】
給気風路における下流側には、給気用送風機モーターにより駆動されて給気風路の入口端から出口端へ向かう給気流の流れを生成する給気用送風機３が組み込まれている。
【０１６０】
また、筐体３１０ａには、給気用換気装置３１０の動作を制御する制御部である給気用制御部３１２と、給気用通信部３１１とが、筐体３１０ａにおける側面に配置されている。なお、給気用制御部３１２と給気用通信部３１１とは、筐体３１０ａの内部に設けられてもよい。給気用制御部３１２は、屋外汚れ量検知部１７、給気用送風機３および給気用通信部３１１と通信可能とされており、給気用送風機３および給気用通信部３１１の動作を制御する。給気用制御部３１２は、給気用送風機３に対して、運転を指示する運転指示信号、および停止を指示する停止指示信号を出力することにより、給気用送風機３の動作を制御する。すなわち、給気用制御部３１２は、給気用送風機３の動作を制御する制御部としての機能を有する。
【０１６１】
屋外汚れ量検知部１７、給気用送風機３および給気用通信部３１１と、給気用制御部３１２と、の通信は、赤外線通信、ＷｉＦｉ（登録商標）またはＢｌｕｅｔｏｏｔｈ（登録商標）といった無線通信であってもよく、また有線通信であってもよい。
【０１６２】
給気用通信部３１１は、後述する第１の排気用換気装置３２０の第１の排気用通信部３２１と通信可能であり、給気用制御部３１２の指示に従って給気用送風機３の運転状態の情報を第１の排気用換気装置３２０の第１の排気用通信部３２１へ送信する。給気用通信部３１１は、低減した給気用送風機３の給気風量の情報を給気用制御部３１２から受信し、給気用制御部３１２の指示に従って、低減した給気用送風機３の給気風量の情報を第１の排気用換気装置３２０の第１の排気用通信部３２１へ送信する。また、給気用制御部３１２から第１の排気用換気装置３２０の設定風量を第１の排気用通信部３２１に直接送信してもよい。
【０１６３】
給気用換気装置３１０の給気用通信部３１１と第１の排気用換気装置３２０の第１の排気用通信部３２１との通信は、赤外線通信、ＷｉＦｉ（登録商標）またはＢｌｕｅｔｏｏｔｈ（登録商標）といった無線通信であってもよく、また有線通信であってもよい。
【０１６４】
外気ＯＡは、屋外から、屋外側給気用ダクト１５ａを介して、屋外吸込口１０から筐体３１０ａの内部へ流入する。筐体３１０ａの内部へ流入した給気流は、給気側エアフィルター６および給気用送風機３を経て、室内吹出口１３に至る。室内吹出口１３に到達した給気流は、室内側給気用ダクト１５ｂを介して、給気ＳＡとして室内へ吹き出される。
【０１６５】
屋外側給気用ダクト１５ａの途中部分には、電気集塵機１４が設けられている。屋外側給気用ダクト１５ａの内部における電気集塵機１４の上流側には、屋外汚れ量検知部１７が設置されている。屋外汚れ量検知部１７は、検知信号を給気用制御部３１２へ送信する。
【０１６６】
第１の排気用換気装置３２０は、接続されたダクトを通じて室内空気を屋外に排気する。第１の排気用換気装置３２０は、本体を構成する筐体３２０ａを備える。筐体３２０ａの一方の側面には、屋外吹出口１１が設けられている。筐体３２０ａの他の側面には、室内吸込口１２が設けられている。
【０１６７】
室内吸込口１２には、室内に連通した室内側排気用ダクト１６ｂが接続されている。屋外吹出口１１には、屋外に連通した屋外側排気用ダクト１６ａが接続されている。
【０１６８】
筐体３２０ａの内部には、排気用送風機４および排気側エアフィルター７が設けられている。筐体３２０ａの内部には、排気側エアフィルター７および排気用送風機４を介して室内吸込口１２と屋外吹出口１１とを連通させ、排気流が流れる排気風路が形成されている。排気流は、室内吸込口１２から吸い込まれて屋外吹出口１１から屋外に排気される室内空気の流れである。
【０１６９】
排気風路における下流側には、排気用送風機モーターにより駆動されて排気風路の入口端から出口端へ向かう給気流の流れを生成する排気用送風機４が組み込まれている。
【０１７０】
また、筐体３２０ａには、第１の排気用通信部３２１と、第１の排気用換気装置３２０の動作を制御する制御部である第１の排気用制御部３２２と、が筐体３２０ａにおける側面に配置されている。第１の排気用制御部３２２は、排気用送風機４および第１の排気用通信部３２１と通信可能とされており、排気用送風機４および第１の排気用通信部３２１の動作を制御する。第１の排気用制御部３２２は、排気用送風機４に対して、運転を指示する運転指示信号、および停止を指示する停止指示信号を出力することにより、排気用送風機４の動作を制御する。すなわち、第１の排気用制御部３２２は、排気用送風機４の動作を制御する制御部としての機能を有する。
【０１７１】
排気用送風機４および第１の排気用通信部３２１と、第１の排気用制御部３２２と、の通信は、赤外線通信、ＷｉＦｉ（登録商標）またはＢｌｕｅｔｏｏｔｈ（登録商標）といった無線通信であってもよく、また有線通信であってもよい。
【０１７２】
第１の排気用通信部３２１は、給気用換気装置３１０の給気用通信部３１１と通信可能であり、給気用換気装置３１０の給気用通信部３１１から給気用送風機３の給気風量の情報を受信する。第１の排気用通信部３２１は、給気用換気装置３１０の給気用通信部３１１から送信される、低減した給気用送風機３の給気風量の情報を受信する。第１の排気用通信部３２１は、受信した情報を第１の排気用制御部３２２に送信する。このように、低減した給気用送風機３の給気風量の情報が給気用換気装置３１０の給気用通信部３１１から第１の排気用通信部３２１を介して第１の排気用制御部３２２に送信される場合には、第１の排気用制御部３２２は、受信した給気風量を元に、排気風量と受信した給気風量との差を算出し、排気風量を低減する。また、給気用換気装置３１０の給気用通信部３１１から第１の排気用換気装置３２０の設定風量を第１の排気用通信部３２１に直接送信してもよい。第１の排気用通信部３２１は、受信した情報を第１の排気用制御部３２２に送信する。このように、第１の排気用換気装置３２０の設定風量が給気用換気装置３１０の給気用通信部３１１から第１の排気用通信部３２１を介して第１の排気用制御部３２２に送信される場合には、第１の排気用制御部３２２は、受信した第１の排気用換気装置３２０の設定風量に従って排気風量を制御する。したがって、第１の排気用制御部３２２での風量差の算出が不要である。
【０１７３】
還気ＲＡは、室内から、室内側排気用ダクト１６ｂを介して、室内吸込口１２から筐体３２０ａの内部へ流入する。筐体３２０ａの内部へ流入した排気流は、排気側エアフィルター７および排気用送風機４を経て、屋外吹出口１１へ至る。屋外吹出口１１に到達した排気流は、屋外側排気用ダクト１６ａを介して、排気ＥＡとして、屋外へ吹き出される。
【０１７４】
給気用制御部３１２には、給気用制御部３１２と通信可能なリモートコントローラー２５が接続されている。リモートコントローラー２５は、給気用換気装置３１０の各種制御についての指令を受け付ける。リモートコントローラー２５は、ユーザから受け付けた各種指令を、給気用制御部３１２に送信する。給気用制御部３１２は、リモートコントローラー２５から送信された各種指令に基づいて、給気用換気装置３１０の給気動作等の制御を行う。
【０１７５】
給気用制御部３１２と、リモートコントローラー２５との通信は、赤外線通信、ＷｉＦｉ（登録商標）またはＢｌｕｅｔｏｏｔｈ（登録商標）といった無線通信であってもよく、また有線通信であってもよい。
【０１７６】
第１の排気用制御部３２２には、第１の排気用制御部３２２と通信可能なリモートコントローラー２６が接続されている。リモートコントローラー２６は、第１の排気用換気装置３２０の各種制御についての指令を受け付ける。リモートコントローラー２６は、ユーザから受け付けた各種指令を、第１の排気用制御部３２２に送信する。第１の排気用制御部３２２は、リモートコントローラー２６から送信された各種指令に基づいて、第１の排気用換気装置３２０の排気動作等の制御を行う。
【０１７７】
第１の排気用制御部３２２と、リモートコントローラー２６との通信は、赤外線通信、ＷｉＦｉ（登録商標）またはＢｌｕｅｔｏｏｔｈ（登録商標）といった無線通信であってもよく、また有線通信であってもよい。
【０１７８】
つぎに、本実施の形態４にかかる換気システム４００の動作について説明する。図１３は、本発明の実施の形態４にかかる換気システム４００における換気運転の制御の手順を示すフローチャートである。
【０１７９】
換気システム４００の換気運転が開始されると、ステップＳ７１０において屋外汚れ量検知部１７が、電気集塵機１４に流入する屋外空気中の汚れ量をあらかじめ決められた周期で検知する。すなわち、屋外汚れ量検知部１７は、屋外側給気用ダクト１５ａの内部の給気風路における電気集塵機１４の上流側の領域を流れる屋外空気中の汚れ量を検知する。屋外汚れ量検知部１７は、検知結果を給気用制御部３１２に送信する。
【０１８０】
給気用制御部３１２は、屋外空気中の汚れ量の検知結果を受信すると、ステップＳ７２０において、あらかじめ決められた第３の閾値と検知結果とに基づいて、屋外空気中の汚れ量が第３の閾値以下であるか否かを判定する。第３の閾値は、給気風量と排気風量とを低減させるか否かを給気用制御部３１２が判定するための基準値であり、上述した第１の閾値に対応する。第３の閾値は、あらかじめ給気用制御部３１２に記憶されており、リモートコントローラー２５を操作することにより適宜変更可能である。また、第３の閾値を変更するためのスイッチを別途設けてもよい。
【０１８１】
屋外空気中の汚れ量が第３の閾値以下である場合、すなわちステップＳ７２０においてＹｅｓの場合は、ステップＳ７１０に戻る。屋外汚れ量検知部１７により検知された屋外空気中の汚れ量が第３の閾値以下である場合は、屋外空気が電気集塵機１４内を通過する時間が短くても、屋外空気中の空気中浮遊物を電気集塵機１４で適切に捕集でき、清浄された空気を室内へ供給することが可能である。この場合、給気用制御部３１２は、給気風量と排気風量とを変化させず、維持する制御を行う。
【０１８２】
一方、屋外空気中の汚れ量が第３の閾値より多い場合、すなわちステップＳ７２０においてＮｏの場合は、ステップＳ７３０に進む。ステップＳ７３０において給気用制御部３１２は、給気風量を低減させる制御を行う。屋外空気中の汚れ量が第３の閾値より多い場合は、屋外空気が電気集塵機１４内を通過する時間が短いと、屋外空気中の空気中浮遊物を電気集塵機１４で適切に捕集することができない。そこで、給気用制御部３１２は、給気風量を低減させて、屋外空気が電気集塵機１４内を通過する時間を給気風量の変更前よりも長くする制御を行う。屋外空気が電気集塵機１４内を通過する時間を給気風量の変更前よりも長くすることによって、電気集塵機１４を通過する屋外空気中の空気中浮遊物の集塵効率を給気風量の変更前よりも向上させて、より清浄された空気を室内へ供給することができる。
【０１８３】
また、給気用送風機３の給気風量のみを低減させた場合には、室内が負圧となり扉が開き難くなるといった問題が生じる。そこで、ステップＳ７４０において給気用制御部３１２は、給気風量を低減させると同時に、排気風量を給気風量と同じ風量に低減させる制御を行う。すなわち、給気用制御部３１２は、低減した給気用送風機３の風量の情報である低減した給気風量の情報を、給気用通信部３１１を介して第１の排気用換気装置３２０の第１の排気用通信部３２１へ送信する。
【０１８４】
第１の排気用通信部３２１は、低減した給気風量の情報を受信して第１の排気用制御部３２２に送信する。第１の排気用制御部３２２は、低減した給気風量の情報を受信すると、低減した給気風量の情報に基づいて、排気風量を低減した給気風量と同じ風量に低減させる制御を行う。これにより、給気風量を低減させて換気運転を行う場合においても、室内の圧力を一定に保つことができ、扉が開き難くなるといった問題が生じない。
【０１８５】
給気風量と排気風量とを低減させた後、ステップＳ７５０において屋外汚れ量検知部１７が、電気集塵機１４に流入する屋外空気中の汚れ量を検知する。すなわち、屋外汚れ量検知部１７は、屋外側給気用ダクト１５ａの内部における電気集塵機１４の上流側の領域を流れる屋外空気中の汚れ量を検知する。屋外汚れ量検知部１７は、検知結果を給気用制御部３１２に送信する。
【０１８６】
給気用制御部３１２は、屋外汚れ量検知部１７から新たな屋外空気中の汚れ量の検知結果を受信する。ステップＳ７６０において給気用制御部３１２は、屋外汚れ量検知部１７から新たに受信する屋外空気中の汚れ量の検知結果に基づいて、屋外空気中の汚れ量が第３の閾値以下であるか否かを判定する。
【０１８７】
屋外空気中の汚れ量が第３の閾値より多い場合、すなわちステップＳ７６０においてＮｏの場合は、ステップＳ７５０に戻る。
【０１８８】
一方、屋外空気中の汚れ量が第３の閾値以下である場合、すなわちステップＳ７６０においてＹｅｓの場合は、ステップＳ７７０に進む。ステップＳ７７０において給気用制御部３１２は、給気風量を、ステップＳ７３０において低減させる前の元の状態に戻す制御を行う。また給気用制御部３１２は、排気風量を、ステップＳ７４０において低減させる前の元の状態に戻す制御を行う。すなわち、給気用制御部３１２は、排気風量を、ステップＳ７４０において低減させる前の元の状態に戻す復帰指示信号を第１の排気用換気装置３２０の第１の排気用制御部３２２へ送信する。第１の排気用制御部３２２は、復帰指示信号に従って排気用送風機４の排気風量を元の状態に戻す制御を行う。これにより、給気風量と排気風量とが元の状態の同一の風量である換気運転が行われる。ステップＳ７７０の後は、ステップＳ７１０に戻る。
【０１８９】
また、図１２に示すように室内汚れ量検知部１８をさらに備え、屋外空気中の汚れ量と室内空気中の汚れ量との比較結果に基づいて、室内に給気される屋外空気が室内を汚すおそれが有る場合に、給気風量と排気風量とを低減させてもよい。この場合、室内汚れ量検知部１８が、第１の排気用制御部３２２に室内空気中の汚れ量の検知結果を送信する。第１の排気用制御部３２２は、室内汚れ量検知部１８の検知結果を給気用制御部３１２に送信する。
【０１９０】
図１４は、本発明の実施の形態４にかかる換気システム４００における換気運転の制御の手順を示すフローチャートである。
【０１９１】
換気システム４００の換気運転が開始されると、ステップＳ８１０においてステップＳ１０に対応する処理が実施される。すなわち、屋外汚れ量検知部１７が、電気集塵機１４に流入する屋外空気中の汚れ量をあらかじめ決められた周期で検知する。屋外汚れ量検知部１７は、検知結果を給気用制御部３１２に送信する。
【０１９２】
また、ステップＳ８２０においてステップＳ３２０に対応する処理が実施される。すなわち、室内汚れ量検知部１８は、室内側排気用ダクト１６ｂを流れる室内空気中の汚れ量をあらかじめ決められた周期で検知する。室内汚れ量検知部１８は、検知結果を第１の排気用制御部３２２に送信する。第１の排気用制御部３２２は、室内汚れ量検知部１８の検知結果を給気用制御部３１２に送信する。
【０１９３】
給気用制御部３１２は、屋外汚れ量検知部１７で検知された屋外空気中の汚れ量の検知結果、および室内汚れ量検知部１８で検知された室内空気中の汚れ量の検知結果を受信する。ステップＳ８３０において、給気用制御部３１２は、屋外空気中の汚れ量の検知結果と室内空気中の汚れ量の検知結果とを比較し、屋外空気中の汚れ量が室内空気中の汚れ量以下であるか否かを判定する。
【０１９４】
屋外空気中の汚れ量が室内空気中の汚れ量以下である場合、すなわちステップＳ８３０においてＹｅｓの場合は、ステップＳ８１０に戻る。
【０１９５】
屋外空気中の汚れ量が室内空気中の汚れ量より多い場合、すなわちステップＳ８３０においてＮｏの場合は、ステップＳ８４０に進む。ステップＳ８４０において給気用制御部３１２は、給気風量を低減させる制御を行う。屋外空気中の汚れ量が室内空気中の汚れ量より多い場合は、室内に給気される屋外空気が室内空気を汚すおそれがある。このため、給気用制御部３１２は、給気風量を低減させて、屋外空気が電気集塵機１４内を通過する時間を給気風量の変更前よりも長くする制御を行う。これにより、換気システム４００は、電気集塵機１４を通過する屋外空気中の空気中浮遊物の集塵効率を給気風量の変更前よりも向上させて、より清浄された空気を室内へ供給することができる。
【０１９６】
また、給気風量のみを低減させた場合には、室内が負圧となり扉が開き難くなるといった問題が生じる。そこで、ステップＳ８５０において給気用制御部３１２は、給気風量を低減させると同時に、排気風量を給気風量と同じ風量に低減させる制御を行う。すなわち、給気用制御部３１２は、低減した給気用送風機３の風量の情報である低減した給気風量の情報を、給気用通信部３１１を介して第１の排気用換気装置３２０の第１の排気用制御部３２２へ送信する。
【０１９７】
第１の排気用制御部３２２は、低減した給気風量の情報を受信すると、低減した給気風量の情報に基づいて、排気風量を給気風量と同じ風量に低減させる制御を行う。これにより、給気風量を低減させて換気運転を行う場合においても、室内の圧力を一定に保つことができ、扉が開き難くなるといった問題が生じない。
【０１９８】
給気風量と排気風量とを低減させた後、ステップＳ８６０において屋外汚れ量検知部１７が、電気集塵機１４に流入する屋外空気中の汚れ量を検知する。すなわち、屋外汚れ量検知部１７は、屋外側給気用ダクト１５ａの内部における電気集塵機１４の上流側の領域を流れる屋外空気中の汚れ量を検知する。屋外汚れ量検知部１７は、検知結果を給気用制御部３１２に送信する。
【０１９９】
また、ステップＳ８７０において室内汚れ量検知部１８が、室内側排気用ダクト１６ｂを流れる室内空気中の汚れ量を検知する。室内汚れ量検知部１８は、検知結果を第１の排気用制御部３２２に送信する。第１の排気用制御部３２２は、室内汚れ量検知部１８の検知結果を給気用制御部３１２に送信する。
【０２００】
給気用制御部３１２は、屋外汚れ量検知部１７で新たに検知された屋外空気中の汚れ量の検知結果、および室内汚れ量検知部１８で新たに検知された室内空気中の汚れ量の検知結果を受信する。ステップＳ８８０において給気用制御部３１２は、新たに受信する屋外空気中の汚れ量の検知結果および新たに受信する室内空気中の汚れ量の検知結果に基づいて、屋外空気中の汚れ量が室内空気中の汚れ量以下であるか否かを判定する。
【０２０１】
屋外空気中の汚れ量が室内空気中の汚れ量より多い場合、すなわちステップＳ８８０においてＮｏの場合は、ステップＳ８６０に戻る。
【０２０２】
屋外空気中の汚れ量が室内空気中の汚れ量以下である場合、すなわちステップＳ８８０においてＹｅｓの場合は、ステップＳ８９０に進む。ステップＳ８９０において給気用制御部３１２は、給気風量を、ステップＳ８４０において低減させる前の元の状態に戻す制御を行う。また、給気用制御部３１２は、排気風量を、ステップＳ８５０において低減させる前の元の状態に戻す制御を行う。すなわち、給気用制御部３１２は、排気風量を、ステップＳ８５０において低減させる前の元の状態に戻す復帰指示信号を第１の排気用換気装置３２０の第１の排気用制御部３２２へ送信する。第１の排気用制御部３２２は、復帰指示信号に従って排気風量を元の状態に戻す制御を行う。これにより、給気風量と排気風量とが元の状態の同一の風量である換気運転が行われる。ステップＳ８９０の後は、ステップＳ８１０に戻る。
【０２０３】
なお、上記においては、屋外空気中の汚れ量と室内空気中の汚れ量との比較を給気用制御部３１２で行う場合について示したが、屋外空気中の汚れ量と室内空気中の汚れ量との比較を第１の排気用制御部３２２で行ってもよい。
【０２０４】
また、上記においては、給気用制御部３１２により屋外汚れ量検知部１７と給気用通信部３１１とを制御し、第１の排気用制御部３２２により室内汚れ量検知部１８と第１の排気用通信部３２１とを制御する場合について説明したが、たとえば、ＨＥＭＳ（Home  Energy  Management  System）のように、給気用換気装置３１０および第１の排気用換気装置３２０とは別に設けられて給気用換気装置３１０と第１の排気用換気装置３２０とを制御可能な制御部により、給気用換気装置３１０の給気風量と第１の排気用換気装置３２０の排気風量とを一括で制御および管理してもよい。
【０２０５】
また、本実施の形態４にかかる換気システム４００においても、上述した図４または図９に示すような条件設定表を設けて、室内における人の有無を考慮して給気風量および排気風量の風量制御を行ってもよい。
【０２０６】
上述したように、本実施の形態４にかかる換気システム４００は、給気部と排気部とが独立して設けられた換気装置を有する。このような換気システム４００においても、実施の形態１にかかる換気システム１００または実施の形態２にかかる換気システム２００と同様の効果が得られる。
【０２０７】
実施の形態５．
図１５は、本発明の実施の形態５にかかる換気システム５００の構成を示す図である。図１５は、図１２に対応した図である。なお、図１５においては、上述した実施の形態における換気システムと同様の構成については同じ符号を付している。実施の形態５では、換気システムが１台の給気用送風機３と２台の排気用送風機４とを備える場合について説明する。
【０２０８】
本実施の形態５にかかる換気システム５００は、給気用換気装置３１０と、第１の排気用換気装置３２０と、第２の排気用換気装置３３０と、電気集塵機１４と、屋外汚れ量検知部１７とを備える。換気システム５００は、実施の形態４にかかる換気システム４００に第２の排気用換気装置３３０が追加された構成を有する。
【０２０９】
屋外空気を室内に給気する給気部を構成する給気用換気装置３１０と、給気用換気装置３１０から離れた位置に独立して設けられて室内空気を屋外に排気する排気部を構成する第１の排気用換気装置３２０と、給気用換気装置３１０および第１の排気用換気装置３２０から離れた位置に独立して設けられて室内空気を屋外に排気する排気部を構成する第２の排気用換気装置３３０と、により、給排気によって換気の対象空間である室内を換気する換気装置が構成されている。
【０２１０】
第２の排気用換気装置３３０は、第１の排気用換気装置３２０と同様の構成を有し、第１の排気用換気装置３２０と同様の動作を行う。第２の排気用換気装置３３０は、本体を構成する筐体３３０ａを備える。筐体３３０ａの一方の側面には、屋外吹出口１１が設けられている。筐体３３０ａの他の側面には、室内吸込口１２が設けられている。
【０２１１】
室内吸込口１２には、室内に連通した室内側排気用ダクト１６ｂが接続されている。屋外吹出口１１には、屋外に連通した屋外側排気用ダクト１６ａが接続されている。
【０２１２】
筐体３３０ａの内部には、排気用送風機４および排気側エアフィルター７が設けられている。筐体３３０ａの内部には、排気側エアフィルター７および排気用送風機４を介して室内吸込口１２と屋外吹出口１１とを連通させ、排気流が流れる排気風路が形成されている。
【０２１３】
排気風路における下流側には、排気用送風機モーターにより駆動されて排気風路の入口端から出口端へ向かう給気流の流れを生成する排気用送風機４が組み込まれている。
【０２１４】
また、筐体３３０ａには、第２の排気用通信部３３１と、第２の排気用換気装置３３０の動作を制御する制御部である第２の排気用制御部３３２と、が筐体３３０ａにおける側面に配置されている。第２の排気用制御部３３２は、排気用送風機４および第２の排気用通信部３３１と通信可能とされており、排気用送風機４および第２の排気用通信部３３１の動作を制御する。
【０２１５】
排気用送風機４および第２の排気用通信部３３１と、第２の排気用制御部３３２と、の通信は、赤外線通信、ＷｉＦｉ（登録商標）またはＢｌｕｅｔｏｏｔｈ（登録商標）といった無線通信であってもよく、また有線通信であってもよい。
【０２１６】
第２の排気用通信部３３１は、給気用換気装置３１０の給気用通信部３１１と通信可能であり、給気用換気装置３１０の給気用通信部３１１から給気用送風機３の風量の情報を受信する。第２の排気用通信部３３１は、給気用換気装置３１０の給気用通信部３１１から送信される、低減した給気風量の情報を受信する。第２の排気用通信部３３１は、受信した情報を第２の排気用制御部３３２に送信する。このように、低減した給気用送風機３の給気風量の情報が給気用換気装置３１０の給気用通信部３１１から第２の排気用通信部３３１を介して第２の排気用制御部３３２に送信される場合には、第２の排気用制御部３３２は、受信した給気風量を元に、排気風量と受信した給気風量との差を算出し、排気風量を低減する。また、給気用換気装置３１０の給気用通信部３１１から第２の排気用換気装置３３０の設定風量を第２の排気用通信部３３１に直接送信してもよい。第２の排気用通信部３３１は、受信した情報を第２の排気用制御部３３２に送信する。このように、第２の排気用換気装置３３０の設定風量が給気用換気装置３１０の給気用通信部３１１から第２の排気用通信部３３１を介して第２の排気用制御部３３２に送信される場合には、第２の排気用制御部３３２は、受信した第２の排気用換気装置３３０の設定風量に従って排気風量を制御する。したがって、第２の排気用制御部３３２での風量差の算出が不要である。
【０２１７】
第２の排気用制御部３３２には、第２の排気用制御部３３２と通信可能なリモートコントローラー２７が接続されている。リモートコントローラー２７は、第２の排気用換気装置３３０の各種制御についての指令を受け付ける。リモートコントローラー２７は、ユーザから受け付けた第２の排気用換気装置３３０についての各種指令を、第２の排気用換気装置３３０に送信する。第２の排気用制御部３３２は、リモートコントローラー２７から送信された各種指令に基づいて、第２の排気用換気装置３３０の排気動作等の制御を行う。
【０２１８】
第２の排気用制御部３３２と、リモートコントローラー２７との通信は、赤外線通信、ＷｉＦｉ（登録商標）またはＢｌｕｅｔｏｏｔｈ（登録商標）といった無線通信であってもよく、また有線通信であってもよい。
【０２１９】
つぎに、本実施の形態５にかかる換気システム５００の動作について説明する。図１６は、本発明の実施の形態５にかかる換気システム５００における換気運転の制御の手順を示すフローチャートである。以下で説明する換気システム５００における換気運転の制御の手順は、屋外空気中の汚れ量があらかじめ決められた閾値より多い場合に、給気風量と排気風量とを自動で低減させて電気集塵機１４の集塵効率を向上させる処理を行う点は、上述した実施の形態４にかかる換気システム４００と同様である。
【０２２０】
ユーザがリモートコントローラー２５を操作することにより、給気用換気装置３１０に運転指示信号が送られる。また、ユーザがリモートコントローラー２６を操作することにより、第１の排気用換気装置３２０に運転指示信号が送られる。また、ユーザがリモートコントローラー２７を操作することにより、第２の排気用換気装置３３０に運転指示信号が送られる。たとえば給気用換気装置３１０の給気用送風機３の風量が１５０ｍ３/ｈ、第１の排気用換気装置３２０の排気用送風機４の風量が８０ｍ３/ｈ、第２の排気用換気装置３３０の排気用送風機４の風量が７０ｍ３/ｈで運転することにより、換気システム５００の換気運転が開始される。
【０２２１】
換気システム５００の換気運転が開始されると、ステップＳ９１０において、ステップＳ８１０と同様の処理が実施される。また、給気用制御部３１２は、第１の排気用換気装置３２０の排気用送風機４の風量を、通信によって第１の排気用換気装置３２０の第１の排気用制御部３２２から取得する。また、給気用制御部３１２は、第２の排気用換気装置３３０の排気用送風機４の風量を通信によって第２の排気用換気装置３３０の第２の排気用制御部３３２から取得する。
【０２２２】
給気用制御部３１２は、屋外空気中の汚れ量の検知結果を受信すると、ステップＳ９２０において、あらかじめ決められた第３の閾値と検知結果とに基づいて、屋外空気中の汚れ量が第３の閾値以下であるか否かを判定する。
【０２２３】
屋外空気中の汚れ量が第３の閾値以下である場合、すなわちステップＳ９２０においてＹｅｓの場合は、ステップＳ９１０に戻る。
【０２２４】
一方、屋外空気中の汚れ量が第３の閾値より多い場合、すなわちステップＳ９２０においてＮｏの場合は、ステップＳ９３０に進む。ステップＳ９３０において給気用制御部３１２は、給気風量を低減させる制御を行う。ここで、給気用制御部３１２は、給気用送風機３の風量を、たとえば１５０ｍ３/ｈから１２０ｍ３/ｈに低減して、電気集塵機１４を通過する屋外空気中の空気中浮遊物の集塵効率を給気風量の変更前よりも向上させる。
【０２２５】
また、給気用送風機３の給気風量のみを低減させた場合には、室内が負圧となり扉が開き難くなるといった問題が生じる。そこで、ステップＳ９４０において給気用制御部３１２は、給気風量を低減させると同時に、排気風量を給気風量と同じ風量に低減させる制御を行う。
【０２２６】
給気用制御部３１２は、まず低減した給気風量と、現在の排気風量との風量差を計算する。給気用制御部３１２は、低減した給気用換気装置３１０の給気風量と、第１の排気用換気装置３２０の排気風量と、第２の排気用換気装置３３０の排気風量とから、低減した給気風量と現在の排気風量との風量差を計算する。低減した給気風量と現在の排気風量との風量差は以下のように計算される。
（低減した給気用送風機３の風量：１２０ｍ３/ｈ）−（第１の排気用換気装置３２０の排気用送風機４の風量：８０ｍ３/ｈ）−（第２の排気用換気装置３３０の排気用送風機４の風量：７０ｍ３/ｈ）＝（−３０ｍ３/ｈ）
【０２２７】
すなわち、給気用換気装置３１０の給気風量を低減した状態では、第１の排気用換気装置３２０の排気風量と第２の排気用換気装置３３０の排気風量の合計である排気部の排気風量が、給気風量よりも３０ｍ３/ｈだけ多い。このため、給気用制御部３１２は、排気風量を３０ｍ３/ｈ低減する旨の低減指示信号を、給気用通信部３１１を介して第１の排気用換気装置３２０の第１の排気用制御部３２２に送信する。
【０２２８】
第１の排気用換気装置３２０の第１の排気用制御部３２２は、排気風量を３０ｍ３/ｈ低減する旨の低減指示信号を受信すると、低減指示信号に基づいて、排気風量を３０ｍ３/ｈ低減させる制御を行う。すなわち、第１の排気用制御部３２２は、排気風量を８０ｍ３/ｈから５０ｍ３/ｈに低減させる制御を行う。
【０２２９】
これにより、給気部である給気用換気装置３１０の給気風量と、第１の排気用換気装置３２０の排気風量と第２の排気用換気装置３３０の排気風量の合計である排気部の排気風量が、共に１２０ｍ３/ｈとなり、等しくなる。これにより、給気風量を低減させて換気運転を行う場合においても、室内の圧力を一定に保つことができ、扉が開き難くなるといった問題が生じない。
【０２３０】
給気風量と排気風量とを低減させた後、ステップＳ９５０において屋外汚れ量検知部１７が、電気集塵機１４に流入する屋外空気中の汚れ量を検知する。すなわち、屋外汚れ量検知部１７は、屋外側給気用ダクト１５ａの内部における電気集塵機１４の上流側の領域を流れる屋外空気中の汚れ量を検知する。屋外汚れ量検知部１７は、検知結果を給気用制御部３１２に送信する。
【０２３１】
給気用制御部３１２は、屋外汚れ量検知部１７から新たな屋外空気中の汚れ量の検知結果を受信する。ステップＳ９６０において給気用制御部３１２は、屋外汚れ量検知部１７から新たに受信する屋外空気中の汚れ量の検知結果に基づいて、屋外空気中の汚れ量が第３の閾値以下であるか否かを判定する。
【０２３２】
屋外空気中の汚れ量が第３の閾値より多い場合、すなわちステップＳ９６０においてＮｏの場合は、ステップＳ９５０に戻る。
【０２３３】
一方、屋外空気中の汚れ量が第３の閾値以下である場合、すなわちステップＳ９６０においてＹｅｓの場合は、ステップＳ９７０に進む。ステップＳ９７０において給気用制御部３１２は、給気風量を、ステップＳ９３０において低減させる前の元の状態に戻す制御を行う。また給気用制御部３１２は、排気風量を、ステップＳ９４０において低減させる前の元の状態に戻す制御を行う。
【０２３４】
すなわち、給気用制御部３１２は、排気風量を、ステップＳ９４０において低減させる前の元の状態に戻す復帰指示信号を第１の排気用換気装置３２０の第１の排気用制御部３２２へ送信する。第１の排気用制御部３２２は、復帰指示信号に従って排気用送風機４の排気風量を元の状態に戻す制御を行う。これにより、給気風量と排気風量とが元の状態の同一の風量である１５０ｍ３/ｈでの換気運転が行われる。ステップＳ９７０の後は、ステップＳ９１０に戻る。
【０２３５】
なお、上記においては、給気用制御部３１２が、低減指示信号を第１の排気用換気装置３２０の第１の排気用制御部３２２に送信する場合について説明したが、給気用制御部３１２は低減指示信号を第２の排気用換気装置３３０の第２の排気用制御部３３２へ送信してもよい。第２の排気用換気装置３３０の第２の排気用制御部３３２は、低減指示信号を受信すると、低減指示信号に従って排気風量を低減させる制御を行う。
【０２３６】
また、給気用制御部３１２が、第１の排気用換気装置３２０の排気風量と、第２の排気用換気装置３３０の排気風量と、の両方を低減させる制御を行ってもよい。この場合、低減後の第１の排気用換気装置３２０の排気風量と、低減後の第２の排気用換気装置３３０の排気風量と、の合計が１２０ｍ３/ｈとされる。
【０２３７】
また、図１５に示すように第１の排気用換気装置３２０の室内吸込口１２に接続された室内側排気用ダクト１６ｂに第１の室内汚れ量検知部１８２を備え、第２の排気用換気装置３３０の室内吸込口１２に接続された室内側排気用ダクト１６ｂに第２の室内汚れ量検知部１８３を備えてもよい。すなわち、第１の排気用換気装置３２０の排気側エアフィルター７の上流側と、第２の排気用換気装置３３０の排気側エアフィルター７の上流側に室内汚れ量検知部を備えてもよい。第１の室内汚れ量検知部１８２と第２の室内汚れ量検知部１８３とは、上述した室内汚れ量検知部１８に対応する。
【０２３８】
この場合、第１の排気用換気装置３２０の排気側エアフィルター７の上流側の第１の室内汚れ量検知部１８２が、第１の排気用制御部３２２に室内空気中の汚れ量の検知結果を送信する。第１の排気用制御部３２２は、第１の室内汚れ量検知部１８２の検知結果を給気用制御部３１２に送信する。
【０２３９】
また、第２の排気用換気装置３３０の排気側エアフィルター７の上流側の第２の室内汚れ量検知部１８３が、第２の排気用制御部３３２に室内空気中の汚れ量の検知結果を送信する。第２の排気用制御部３３２は、第２の室内汚れ量検知部１８３の検知結果を給気用制御部３１２に送信する。
【０２４０】
図１７は、本発明の実施の形態５にかかる換気システム５００における他の換気運転の制御の手順を示すフローチャートである。
【０２４１】
ユーザがリモートコントローラー２５を操作することにより、給気用換気装置３１０に運転指示信号が送られる。また、ユーザがリモートコントローラー２６を操作することにより、第１の排気用換気装置３２０に運転指示信号が送られる。また、ユーザがリモートコントローラー２７を操作することにより、第２の排気用換気装置３３０に運転指示信号が送られる。たとえば給気用換気装置３１０の給気用送風機３の風量が１５０ｍ３/ｈ、第１の排気用換気装置３２０の排気用送風機４の風量が８０ｍ３/ｈ、第２の排気用換気装置３３０の排気用送風機４の風量が７０ｍ３/ｈで運転することにより、換気システム５００の換気運転が開始される。
【０２４２】
換気システム５００の換気運転が開始されると、ステップＳ１０１０においてステップＳ１０に対応する処理が実施される。すなわち、屋外汚れ量検知部１７が、電気集塵機１４に流入する屋外空気中の汚れ量をあらかじめ決められた周期で検知する。屋外汚れ量検知部１７は、検知結果を給気用制御部３１２に送信する。
【０２４３】
また、ステップＳ１０２０において、２ヶ所の室内空気中の汚れ量が検知される。すなわち、第１の室内汚れ量検知部１８２は、第１の排気用換気装置３２０に接続された室内側排気用ダクト１６ｂを流れる室内空気中の汚れ量をあらかじめ決められた周期で検知する。第１の室内汚れ量検知部１８２は、検知結果を第１の排気用制御部３２２に送信する。第１の排気用制御部３２２は、第１の室内汚れ量検知部１８２の検知結果を、第１の排気用通信部３２１を介して給気用制御部３１２に送信する。
【０２４４】
また、第２の室内汚れ量検知部１８３は、第２の排気用換気装置３３０に接続された室内側排気用ダクト１６ｂを流れる室内空気中の汚れ量をあらかじめ決められた周期で検知する。第２の室内汚れ量検知部１８３は、検知結果を第２の排気用制御部３３２に送信する。第２の排気用制御部３３２は、第２の室内汚れ量検知部１８３の検知結果を、第２の排気用通信部３３１を介して給気用制御部３１２に送信する。
【０２４５】
給気用制御部３１２は、屋外汚れ量検知部１７で検知された屋外空気中の汚れ量の検知結果、第１の室内汚れ量検知部１８２および第２の室内汚れ量検知部１８３で検知された室内空気中の汚れ量の検知結果を受信する。ステップＳ１０３０において、給気用制御部３１２は、屋外空気中の汚れ量の検知結果と室内空気中の汚れ量の検知結果とを比較し、屋外空気中の汚れ量が室内空気中の汚れ量以下であるか否かを判定する。
【０２４６】
屋外空気中の汚れ量が室内空気中の汚れ量以下である場合、すなわちステップＳ１０３０においてＹｅｓの場合は、ステップＳ１０１０に戻る。屋外空気中の汚れ量が室内空気中の汚れ量以下である場合は、屋外空気中の汚れ量が第１の室内汚れ量検知部１８２の検知結果以下であり、且つ屋外空気中の汚れ量が第２の室内汚れ量検知部１８３の検知結果以下である場合である。
【０２４７】
屋外空気中の汚れ量が室内空気中の汚れ量より多い場合、すなわちステップＳ１０３０においてＮｏの場合は、ステップＳ１０４０に進む。屋外空気中の汚れ量が室内空気中の汚れ量より多い場合は、屋外空気中の汚れ量が第１の室内汚れ量検知部１８２の検知結果より多い、または屋外空気中の汚れ量が第２の室内汚れ量検知部１８３の検知結果より多い場合のうち、少なくとも一方の場合である。
【０２４８】
ステップＳ１０４０において給気用制御部３１２は、給気風量を低減させる制御を行う。ここで、給気用制御部３１２は、給気用送風機３の風量を、たとえば１５０ｍ３/ｈから１２０ｍ３/ｈに低減して、電気集塵機１４を通過する屋外空気中の空気中浮遊物の集塵効率を給気風量の変更前よりも向上させる。
【０２４９】
また、給気用送風機３の給気風量のみを低減させた場合には、室内が負圧となり扉が開き難くなるといった問題が生じる。そこで、ステップＳ１０５０において給気用制御部３１２は、給気風量を低減させると同時に、第１の排気用換気装置３２０の排気風量と第２の排気用換気装置３３０の排気風量の合計の排気風量を給気風量と同じ風量に低減させる制御を行う。
【０２５０】
たとえば、第１の室内汚れ量検知部１８２および第２の室内汚れ量検知部１８３で検知された室内空気中の汚れ量の検知結果において、第１の室内汚れ量検知部１８２で検知された室内空気中の汚れ量の検知結果が相対的に少なく、第２の室内汚れ量検知部１８３で検知された室内空気中の汚れ量の検知結果が相対的に多いとする。この場合、第１の排気用換気装置３２０が排気を行っている空間または部屋の空気は比較的きれいであるため、空気の排気量は少なくてよいと判断できる。また、第２の排気用換気装置３３０が排気を行っている空間または部屋の空気は比較的汚れていると判断できる。
【０２５１】
そこで、ステップＳ１０５０において、給気用制御部３１２は、第１の排気用換気装置３２０の排気風量と第２の排気用換気装置３３０の排気風量の合計の排気風量を給気風量と同じ風量に低減させる場合に、第２の排気用換気装置３３０が排気を行っている空間または部屋の空気を早く入れ替える制御を行う。すなわち、給気用制御部３１２は、第１の排気用換気装置３２０の排気風量を低減させ、第２の排気用換気装置３３０の排気風量を増加させる制御を行う。これにより、第２の排気用換気装置３３０が排気を行っている空間または部屋の空気を早く入れ替えることが可能となる。
【０２５２】
給気用制御部３１２は、まず低減した給気風量と、現在の排気風量との風量差を計算する。給気用制御部３１２は、低減した給気用換気装置３１０の給気風量と、第１の排気用換気装置３２０の排気風量と、第２の排気用換気装置３３０の排気風量とから、低減した給気風量と現在の排気風量との風量差を計算する。低減した給気風量と現在の排気風量との風量差は以下のように計算される。
（低減した給気用送風機３の風量：１２０ｍ３/ｈ）−（第１の排気用換気装置３２０の排気用送風機４の風量：８０ｍ３/ｈ）−（第２の排気用換気装置３３０の排気用送風機４の風量：７０ｍ３/ｈ）＝（−３０ｍ３/ｈ）
【０２５３】
すなわち、給気用換気装置３１０の給気風量を低減した状態では、第１の排気用換気装置３２０の排気風量と第２の排気用換気装置３３０の排気風量の合計である排気部の排気風量が、給気風量よりも３０ｍ３/ｈだけ多い。また、第１の排気用換気装置３２０の排気風量と第２の排気用換気装置３３０の排気風量の合計の排気風量と、給気風量とを同一にする必要がある。
【０２５４】
給気用制御部３１２は、第１の排気用換気装置３２０の排気風量を４０ｍ３/ｈ低減する旨の低減指示信号を給気用通信部３１１を介して第１の排気用換気装置３２０の第１の排気用制御部３２２に送信する。また、給気用制御部３１２は、第２の排気用換気装置３３０の排気風量を１０ｍ３/ｈ増加する旨の増加指示信号を、給気用通信部３１１を介して第２の排気用換気装置３３０の第２の排気用制御部３３２に送信する。
【０２５５】
第１の排気用換気装置３２０の第１の排気用制御部３２２は、排気風量を４０ｍ３/ｈ低減する旨の低減指示信号を受信すると、低減指示信号に基づいて、排気風量を４０ｍ３/ｈ低減させる制御を行う。すなわち、第１の排気用制御部３２２は、排気風量を８０ｍ３/ｈから４０ｍ３/ｈに低減させる制御を行う。
【０２５６】
第２の排気用換気装置３３０の第２の排気用制御部３３２は、排気風量を１０ｍ３/ｈ増加する旨の増加指示信号を受信すると、増加指示信号に基づいて、排気風量を１０ｍ３/ｈ増加させる制御を行う。すなわち、第２の排気用制御部３３２は、排気風量を７０ｍ３/ｈから８０ｍ３/ｈに増加させる制御を行う。
【０２５７】
これにより、給気部である給気用換気装置３１０の給気風量と、第１の排気用換気装置３２０の排気風量と第２の排気用換気装置３３０の排気風量の合計である排気部の排気風量が、共に１２０ｍ３/ｈとなり、等しくなる。これにより、給気風量を低減させて換気運転を行う場合においても、室内の圧力を一定に保つことができ、扉が開き難くなるといった問題が生じない。
【０２５８】
給気風量と排気風量とを低減させた後、ステップＳ１０６０において屋外汚れ量検知部１７が、電気集塵機１４に流入する屋外空気中の汚れ量を検知する。すなわち、屋外汚れ量検知部１７は、屋外側給気用ダクト１５ａの内部における電気集塵機１４の上流側の領域を流れる屋外空気中の汚れ量を検知する。屋外汚れ量検知部１７は、検知結果を給気用制御部３１２に送信する。
【０２５９】
また、ステップＳ１０７０において、２ヶ所の室内空気中の汚れ量が検知される。すなわち、第１の室内汚れ量検知部１８２は、第１の排気用換気装置３２０に接続された室内側排気用ダクト１６ｂを流れる室内空気中の汚れ量を検知する。第１の室内汚れ量検知部１８２は、検知結果を第１の排気用制御部３２２に送信する。第１の排気用制御部３２２は、第１の室内汚れ量検知部１８２の検知結果を、第１の排気用通信部３２１を介して給気用制御部３１２に送信する。
【０２６０】
また、第２の室内汚れ量検知部１８３は、第２の排気用換気装置３３０に接続された室内側排気用ダクト１６ｂを流れる室内空気中の汚れ量を検知する。第２の室内汚れ量検知部１８３は、検知結果を第２の排気用制御部３３２に送信する。第２の排気用制御部３３２は、第２の室内汚れ量検知部１８３の検知結果を、第２の排気用通信部３３１を介して給気用制御部３１２に送信する。
【０２６１】
給気用制御部３１２は、屋外汚れ量検知部１７で検知された屋外空気中の汚れ量の検知結果、第１の室内汚れ量検知部１８２および第２の室内汚れ量検知部１８３で検知された室内空気中の汚れ量の検知結果を受信する。ステップＳ１０８０において給気用制御部３１２は、新たに受信する屋外汚れ量検知部１７で検知された屋外空気中の汚れ量の検知結果、新たに受信する第１の室内汚れ量検知部１８２および第２の室内汚れ量検知部１８３で検知された室内空気中の汚れ量の検知結果に基づいて、屋外空気中の汚れ量が室内空気中の汚れ量以下であるか否かを判定する。
【０２６２】
屋外空気中の汚れ量が室内空気中の汚れ量より多い場合、すなわちステップＳ１０８０においてＮｏの場合は、ステップＳ１０６０に戻る。
【０２６３】
屋外空気中の汚れ量が室内空気中の汚れ量以下である場合、すなわちステップＳ１０８０においてＹｅｓの場合は、ステップＳ１０９０に進む。ステップＳ１０９０において給気用制御部３１２は、給気風量を、ステップＳ１０４０において低減させる前の元の状態に戻す制御を行う。また、給気用制御部３１２は、排気風量を、ステップＳ１０５０において低減させる前の元の状態に戻す制御を行う。
【０２６４】
すなわち、給気用制御部３１２は、排気風量を、ステップＳ１０５０において低減させる前の元の状態に戻す復帰指示信号を第１の排気用換気装置３２０の第１の排気用制御部３２２へ送信する。第１の排気用制御部３２２は、復帰指示信号に従って排気用送風機４の排気風量を元の状態に戻す制御を行う。また、給気用制御部３１２は、排気風量を、ステップＳ１０５０において低減させる前の元の状態に戻す復帰指示信号を第２の排気用換気装置３３０の第２の排気用制御部３３２へ送信する。第２の排気用制御部３３２は、復帰指示信号に従って排気用送風機４の排気風量を元の状態に戻す制御を行う。これにより、給気風量と排気風量とが元の状態の同一の風量である１５０ｍ３/ｈでの換気運転が行われる。ステップＳ１０９０の後は、ステップＳ１０１０に戻る。
【０２６５】
上述したように、本実施の形態５にかかる換気システム５００は、１台の給気部と２台の排気部とが独立して設けられた換気装置を有する。このような換気システム５００においても、実施の形態１にかかる換気システム１００または実施の形態２にかかる換気システム２００と同様の効果が得られる。
【０２６６】
また、換気システム５００は、第１の排気用換気装置３２０の排気風量と第２の排気用換気装置３３０の排気風量との合計の排気風量を低減させる際に第２の排気用換気装置３３０の排気風量を増加させることにより、第２の排気用換気装置３３０が排気を行っている空間または部屋の空気を早く入れ替えることが可能となり、より効率的な空気の清浄化が可能となる。
【０２６７】
また、たとえば、ＨＥＭＳのように、給気用制御部３１２、第１の排気用制御部３２２および第２の排気用制御部３３２とは別に設けられて給気用制御部３１２、第１の排気用制御部３２２および第２の排気用制御部３３２とを制御可能な制御部により、給気用制御部３１２、第１の排気用制御部３２２および第２の排気用制御部３３２の風量とを一括で制御および管理してもよい。
【０２６８】
また、図１５では１台の給気用換気装置と２台の排気用換気装置とを換気システム５００が備える場合について説明をしたが、給気部および排気部ともに台数の制約は無く、複数台設置することも可能である。
【０２６９】
また、本実施の形態５にかかる換気システム５００においても、上述した図４または図９に示すような条件設定表を設けて、室内における人の有無を考慮して給気風量および排気風量の風量制御を行ってもよい。
【０２７０】
以上の実施の形態に示した構成は、本発明の内容の一例を示すものであり、実施の形態の技術同士を組み合わせることも可能であるし、別の公知の技術と組み合わせることも可能であるし、本発明の要旨を逸脱しない範囲で、構成の一部を省略、変更することも可能である。
【符号の説明】
【０２７１】
１  熱交換換気装置、１ａ，３１０ａ，３２０ａ，３３０ａ  筐体、１ｂ  一方の側面、１ｃ  他方の側面、２  熱交換器、２ａ  熱交換器給気風路、２ｂ  熱交換器排気風路、３  給気用送風機、４  排気用送風機、５  制御部、６  給気側エアフィルター、７  排気側エアフィルター、１０  屋外吸込口、１１  屋外吹出口、１２  室内吸込口、１３  室内吹出口、１４  電気集塵機、１５ａ  屋外側給気用ダクト、１５ｂ  室内側給気用ダクト、１６ａ  屋外側排気用ダクト、１６ｂ  室内側排気用ダクト、１７  屋外汚れ量検知部、１８  室内汚れ量検知部、１９  人検知部、２１，２２，２３，２４  仕切壁、２５，２６，２７  リモートコントローラー、３１ａ  上流側給気風路、３１ｂ  下流側給気風路、３２ａ  上流側排気風路、３２ｂ  下流側排気風路、１００，２００，３００，４００，５００  換気システム、１０１  プロセッサ、１０２  メモリ、３１０  給気用換気装置、３１１  給気用通信部、３１２  給気用制御部、３２０  第１の排気用換気装置、３２１  第１の排気用通信部、３２２  第１の排気用制御部、３３０  第２の排気用換気装置、３３１  第２の排気用通信部、３３２  第２の排気用制御部。
【図１】
2020134094.tif 000003
【図２】
2020134094.tif 000004
【図３】
2020134094.tif 000005
【図４】
2020134094.tif 000006
【図５】
2020134094.tif 000007
【図６】
2020134094.tif 000008
【図７】
2020134094.tif 000009
【図８】
2020134094.tif 000010
【図９】
2020134094.tif 000011
【図１０】
2020134094.tif 000012
【図１１】
2020134094.tif 000013
【図１２】
2020134094.tif 000014
【図１３】
2020134094.tif 000015
【図１４】
2020134094.tif 000016
【図１５】
2020134094.tif 000017
【図１６】
2020134094.tif 000018
【図１７】
2020134094.tif 000019